(57)【要約】【課題】ユーザの使用状況に応じてスチーム発生器の知能的な制御を実現する過程を実現すると同時に、衣類ケア機器のエネルギー消費及び水分損失を低減させ、ユーザの使用体験を高める。【解決手段】本発明は衣類ケア機器の制御方法、制御システム及び衣類ケア機器を提供し、そのうち、衣類ケア機器の制御方法は、ユーザが前記スチームハンドル２を使用しているか否かを感知するように前記人体感知モジュール２０６を制御するステップと、前記人体感知モジュール２０６が感知したタッチ信号に基づいて前記スチーム発生器１の作動状態を制御するステップと、を含み、当該技術案を通じて、ユーザの使用状況に応じてスチーム発生器の知能的な制御を実現する過程を実現すると同時に、衣類ケア機器のエネルギー消費及び水分損失を低減させ、ユーザの使用体験を高める。【選択図】図４
2020110610.tif 000002
【特許請求の範囲】
【請求項１】
衣類ケア機器の制御方法であって、前記衣類ケア機器にスチーム発生器及びスチームハ
ンドルが設けられ、前記スチームハンドルに人体感知モジュールが設けられ、
前記制御方法は、
ユーザが前記スチームハンドルを使用しているか否かを感知するように前記人体感知モジュールを制御するステップと、
前記人体感知モジュールが感知したタッチ信号に基づいて前記スチーム発生器の作動状態を制御するステップと、を含む、
ことを特徴とする衣類ケア機器の制御方法。
【請求項２】
ユーザが前記スチームハンドルを使用しているか否かを感知するように前記人体感知モジュールを制御するステップは、具体的に、
前記衣類ケア機器のメカニカルスイッチのメカニカルターンオン命令を取得するステップと、
前記メカニカルターンオン命令を取得した後、ユーザが前記スチームハンドルを使用しているか否かを感知するように前記人体感知モジュールをトリガーするステップと、
前記衣類ケア機器のメカニカルスイッチのメカニカルターンオフ命令を取得するステップと、
前記メカニカルターンオフ命令を取得した後、加熱を停止するように前記スチーム発生器を制御するステップと、を含む、
ことを特徴とする請求項１に記載の衣類ケア機器の制御方法。
【請求項３】
前記人体感知モジュールは、赤外線センサーを含み、
前記人体感知モジュールが感知したタッチ信号に基づいて前記スチーム発生器の作動状態を制御するステップは、具体的に、
前記赤外線センサーは、人体の特性赤外線信号を感知した後、前記特性赤外線信号の持続時間が第１の所定タッチ時間以上であるか否かを判断し、そのうち、前記特性赤外線信号は、人体温度赤外線信号及び/又は人体動作赤外線信号を含むステップと、
前記特性赤外線信号の持続時間が前記第１の所定タッチ時間以上であると判定した場合、加熱命令を送信して前記スチーム発生器が加熱するように制御するステップと、を含む、ことを特徴とする請求項１に記載の衣類ケア機器の制御方法。
【請求項４】
前記人体感知モジュールは、圧力センサーを含み、
前記人体感知モジュールが感知したタッチ信号に基づいて前記スチーム発生器の作動状態を制御するステップは、具体的に、
前記圧力センサーは、人体の圧力信号を感知した後、前記圧力信号の持続時間が前記第１の所定タッチ時間以上であるか否かを判断し、そのうち、前記圧力信号は、圧力範囲信号と、圧力値信号と、圧力方向信号とのうちいずれか一つ又は複数の組合せを含むステップと、
前記圧力信号の持続時間が前記第１の所定タッチ時間以上であると判定した場合、加熱命令を送信して前記スチーム発生器が加熱するように制御するステップと、を含む、
ことを特徴とする請求項１に記載の衣類ケア機器の制御方法。
【請求項５】
前記人体感知モジュールは、電気センサーを含み、
前記人体感知モジュールが感知したタッチ信号に基づいて前記スチーム発生器の作動状態を制御するステップは、具体的に、
前記電気センサーは、人体の電気信号を感知した後、前記電気信号の持続時間が前記第１の所定タッチ時間以上であるか否かを判断し、そのうち、前記電気信号は、人体の電位信号と、人体のインピーダンス信号と、人体の生物電気信号とのうちいずれか一種又は複数
種類の組合せを含むステップと、
前記電気信号の持続時間が前記第１の所定タッチ時間以上であると判定した場合、加熱命令を送信して前記スチーム発生器が加熱するように制御するステップと、を含む、
ことを特徴とする請求項１に記載の衣類ケア機器の制御方法。
【請求項６】
前記電気センサーは、具体的に、銅シートと、プリント回路基板と、導電綿と、導電アルミ箔とのうちいずれか一種又は複数種類の組合せを含み、そのうち、前記電気センサーは、前記スチームハンドルの外側部と、頂部と、底部とのうち一つ又は複数の箇所に設ける、
ことを特徴とする請求項５に記載の衣類ケア機器の制御方法。
【請求項７】
ユーザが前記スチームハンドルを使用しているのを検出しなかった遊休時間が第２の所定タッチ時間以上であるか否かを判断するステップと、
前記遊休時間が前記第２の所定タッチ時間以上であるとを判定した場合、加熱停止命令を送信して加熱を停止するように前記スチーム発生器を制御するステップと、
前記タッチ時間が前記第１の所定タッチ時間以上であり、且つ前記遊休時間が前記第２の所定タッチ時間以上であると判定した場合、保温命令を送信して前記スチーム発生器が待機保温状態に入るように制御するステップと、をさらに含む、
ことを特徴とする請求項３〜６のいずれかに記載の衣類ケア機器の制御方法。
【請求項８】
衣類ケア機器の制御システムであって、
前記衣類ケア機器にスチーム発生器及びスチームハンドルが設けられ、そのうち、前記スチームハンドルに人体感知モジュールが設けられ、
前記制御システムは、ユーザが前記スチームハンドルを使用しているか否かを感知するように前記人体感知モジュールを制御する制御ユニットを含み、
前記制御ユニットは、さらに、前記人体感知モジュールが感知したタッチ信号に基づいて前記スチーム発生器の作動状態を制御する、
ことを特徴とする衣類ケア機器の制御システム。
【請求項９】
前記衣類ケア機器のメカニカルスイッチのメカニカルターンオン命令を取得する取得ユニットと、
前記メカニカルターンオン命令を取得した後、ユーザが前記スチームハンドルを使用しているか否かを感知するように前記人体感知モジュールをトリガーするトリガーユニットと、をさらに含み、
前記取得ユニットは、さらに、前記衣類ケア機器のメカニカルスイッチのメカニカルターンオフ命令を取得し、
前記トリガーユニットは、さらに、前記メカニカルターンオフ命令を取得した後、加熱を停止するように前記スチーム発生器を制御する、
ことを特徴とする請求項８に記載の衣類ケア機器の制御システム。
【請求項１０】
前記人体感知モジュールは、赤外線センサーを含み、
前記制御システムは、
前記赤外線センサーが人体の特性赤外線信号を感知した後、前記特性赤外線信号の持続時間が第１の所定タッチ時間以上であるか否かを判断し、そのうち、前記特性赤外線信号は、人体温度赤外線信号及び/又は人体動作赤外線信号を含む判断ユニットと、
前記特性赤外線信号の持続時間が第１の所定タッチ時間以上であると判定した場合、加熱命令を送信して前記スチーム発生器が加熱するように制御する送信ユニットと、を含む、
ことを特徴とする請求項８に記載の衣類ケア機器の制御システム。
【請求項１１】
前記人体感知モジュールは、圧力センサーを含み、
前記制御システムは、
前記圧力センサーが人体の圧力信号を感知した後、前記圧力信号の持続時間が第１の所定タッチ時間以上であるか否かを判断し、そのうち、前記圧力信号は、圧力範囲信号と、圧力値信号と、圧力方向信号とのうちいずれか一つ又は複数の組合せを含む判断ユニットと、
前記圧力信号の持続時間が前記第１の所定タッチ時間以上であると判定した場合、加熱命令を送信して前記スチーム発生器が加熱するように制御する送信ユニットと、を含む、
ことを特徴とする請求項８に記載の衣類ケア機器の制御システム。
【請求項１２】
前記人体感知モジュールは、電気センサーを含み、
前記制御システムは、
前記電気センサーが人体の電気信号を感知した後、前記電気信号の持続時間が前記第１の所定タッチ時間以上であるか否かを判断し、そのうち、前記電気信号は、人体の電位信号と、人体のインピーダンス信号と、人体の生物電気信号とのうちいずれか一種又は複数種類の組合せを含む判断ユニットと、
前記電気信号の持続時間が前記第１の所定タッチ時間以上であると判定した場合、加熱命令を送信して前記スチーム発生器が加熱するように制御する送信ユニットと、を含む、
ことを特徴とする請求項８に記載の衣類ケア機器の制御システム。
【請求項１３】
前記判断ユニットは、さらに、ユーザが前記スチームハンドルを使用しているのを検出しなかった遊休時間が第２の所定タッチ時間以上であるか否かを判断し、
前記送信ユニットは、さらに、前記遊休時間が前記第２の所定タッチ時間以上であると判定した場合、加熱停止命令を送信して加熱を停止するように前記スチーム発生器を制御し、
前記送信ユニットは、さらに、前記タッチ時間が前記第１の所定タッチ時間以上であり、
且つ前記遊休時間が前記第２の所定タッチ時間以上であると判定した場合、保温命令を送信して前記スチーム発生器が保温するように制御する、
ことを特徴とする請求項８〜１２のいずれかに記載の衣類ケア機器の制御システム。
【請求項１４】
前記スチームハンドルに設けられた給電電池モジュールをさらに含み、
前記給電電池モジュールは、
前記スチーム発生器と、前記スチームハンドルと、前記制御ユニットとに接続され、電池を載置して前記スチーム発生器と、前記スチームハンドルと、前記制御ユニットとに給電する電池載置部と、
前記電池載置部に接続され、前記電池を充電する商用電源アクセス部と、
電池載置部に接続され、前記電池の電気量を検出する電気量検出モジュールと、
前記回路検出モジュールに接続され、前記電気量検出モジュールの検出結果に基づいて前記電気量を提示する電気量提示モジュールと、を含む、
ことを特徴とする請求項８に記載の衣類ケア機器の制御システム。
【請求項１５】
前記制御ユニットと前記スチーム発生器とに接続され、前記制御ユニットの加熱命令を取得して前記スチーム発生器が加熱するように制御し、また、前記制御ユニットの加熱停止命令を取得して加熱を停止するように前記スチーム発生器を制御する加熱駆動モジュールをさらに含む、
ことを特徴とする請求項８に記載の衣類ケア機器の制御システム。
【請求項１６】
前記制御ユニットは、さらに、前記加熱駆動モジュールに保温命令を送信して前記スチーム発生器が保温するように制御する、
ことを特徴とする請求項１５に記載の衣類ケア機器の制御システム。
【請求項１７】
前記スチームハンドルは、
ユーザのメカニカルターンオン命令を取得した後、ユーザが前記スチームハンドルを使用しているか否かを感知するように前記人体感知モジュールをトリガーし、また、ユーザのメカニカルターンオフ命令を取得した後、加熱停止命令を送信するように前記制御ユニットをトリガーするスチームハンドルスイッチを含む、
ことを特徴とする請求項９に記載の衣類ケア機器の制御システム。
【請求項１８】
提示ランプ及び/又は提示音設備が設けられ、加熱命令を取得した後、前記スチーム発生器が加熱状態であることをユーザに提示し、また、加熱停止命令を取得した後、前記スチーム発生器が加熱停止状態であることをユーザに提示し、さらに、保温命令を取得した後、前記スチーム発生器が保温状態であることをユーザに提示する提示装置をさらに含む、
ことを特徴とする請求項８に記載の衣類ケア機器の制御システム。
【請求項１９】
無線通信ネットワークを介して前記制御ユニットと前記加熱駆動モジュールとの間に接続され、前記制御ユニットの前記加熱駆動モジュールに対する制御命令を伝送する無線通信モジュールをさらに含む、
ことを特徴とする請求項１５に記載の衣類ケア機器の制御システム。
【請求項２０】
前記無線通信モジュールは、無線送信モジュールと、無線受信モジュールと、無線処理モジュールと、を含み、そのうち、無線通信モジュールは、ＲＦ通信モジュールを含む、
ことを特徴とする請求項１９に記載の衣類ケア機器の制御システム。
【請求項２１】
前記制御ユニットに前記無線送信モジュール及び前記無線処理モジュールが設けられ、前記加熱駆動モジュールに前記無線受信モジュールが設けられている、
ことを特徴とする請求項２０に記載の衣類ケア機器の制御システム。
【請求項２２】
前記制御ユニットに前記無線送信モジュールが設けられ、前記加熱駆動モジュールに前記無線処理モジュール及び前記無線受信モジュールが設けられている、
ことを特徴とする請求項２０に記載の衣類ケア機器の制御システム。
【請求項２３】
請求項８〜２２のいずれかに記載の衣類ケア機器の制御システムを含む、
ことを特徴とする衣類ケア機器。
【請求項２４】
前記スチームハンドルは、
電気センサーと、圧力センサーと、温度センサーと、赤外線センサーとのうちいずれか一種又は複数種類の組合せを含む前記人体感知モジュールが設けられた固定構造と、
前記スチームハンドルと前記スチーム発生器との間に接続され、前記加熱制御モジュールが加熱する時に、前記スチーム発生器で発生したスチームを前記スチームハンドルに搬送するスチームパイプと、
スチーム噴出孔が設けられ、前記スチームをアイロンがけする衣類に噴出させるアイロン板と、をさらに含む、
ことを特徴とする請求項２３に記載の衣類ケア機器。
【請求項２５】
前記人体感知モジュールは、前記スチームハンドルの両側又は把持部又は頂部又は底部のうち少なくとも一つの箇所に設けられている、
ことを特徴とする請求項２４に記載の衣類ケア機器。
【請求項２６】
前記人体感知モジュールは、前記スチームハンドルの両側に対称的に設けられている、ことを特徴とする請求項２４に記載の衣類ケア機器。
【請求項２７】
前記人体感知モジュールは、スチームハンドルの下端の把持部に設けられている、
ことを特徴とする請求項２４に記載の衣類ケア機器。
【請求項２８】
前記人体感知モジュールに、導電媒体モジュールが設けられている、
ことを特徴とする請求項２６又は２７に記載の衣類ケア機器。
【請求項２９】
前記導電媒体モジュールは、銅シートと、プリント回路基板と、導電綿と、導電アルミ箔とのうちいずれか一種又は複数種類の組合せである、
ことを特徴とする請求項２８に記載の衣類ケア機器。
【発明の詳細な説明】
【技術分野】
【０００１】
本発明は、衣類ケア機器技術分野に関し、具体的に、衣類ケア機器の制御方法、衣類ケア機器の制御システム及び衣類ケア機器に関する。
【背景技術】
【０００２】
関連技術において、衣類ケア機器は、重要な家庭用電気製品として、使用頻度が非常に高い。具体的な衣類のアイロンをかける過程において、衣類ケア機器は、十分なスチームが発生するようにスチーム発生器の中の水分を持続的に加熱し、スチームパイプを介してアイロン板に搬送する。こういう伝統的な衣類ケア機器の運転モードには、主に、以下のような欠点が存在する。
１、ユーザがアイロンがけする衣類を整理する過程において、衣類ケア機器の持続的加熱によるエネルギー消費の浪費となる。
２、ユーザが衣類ケア機器の消し止めを忘れた場合に、スチーム発生器の持続的加熱による水分がなくなり、衣類ケア機器本体の温度が高すぎると、電気火災となるおそれがあるため、ユーザの人身安全及び財産安全を極めて大きく脅かす。
３、ユーザが衣類のアイロンをかける過程において、現在の衣類ケア機器の作動状態、及びスチーム発生器が加熱作業を完成したか否か、をユーザに知らせる提示音がないため、ニーザの待つ時間が比較的に多く占用された。
【０００３】
従って、ユーザの使用状況に応じてスチーム発生器の知能的な制御過程を実現するために、如何に衣類ケア機器及びその制御方法を設計するのかが解決する必要のある技術的課題となっている。
【発明の概要】
【発明が解決しようとする課題】
【０００４】
本発明は、従来技術又は関連技術における少なくとも一つの技術的課題を解決することを目的とする。
【０００５】
そのため、本発明の一つの目的は、ユーザの使用状況に応じてスチーム発生器の知能的な制御を実現できる衣類ケア機器の制御方法を提供することである。
【０００６】
本発明のもう一つの目的は、衣類ケア機器の制御システムを提供することである。
【０００７】
本発明の三つ目の目的は、衣類ケア機器を提供することである。
【課題を解決するための手段】
【０００８】
上記目的を実現するために、本発明の第１態様に係る実施例は、ユーザが前記スチームハンドルを使用しているか否かを感知するように前記人体感知モジュールを制御するステップと、前記人体感知モジュールが感知したタッチ信号に基づいて前記スチーム発生器の作動状態を制御するステップと、を含む衣類ケア機器の制御方法を提供する。
【０００９】
本発明の実施例に係る衣類ケア機器の制御方法は、人体感知モジュールが感知したタッチ信号に基づいてスチーム発生器の作動状態を制御するステップを通じて、ユーザの使用状況に応じてスチーム発生器の知能的な制御を実現する過程を制御して実現すると同時に、衣類ケア機器のエネルギー消費及び水分損失を低減させ、ユーザの使用体験を高める。そのうち、感知の方式は、リアルタイム感知と定時感知とを含み、リアルタイム感知は、即ち、人体感知モジュールの作動過程において、ユーザの使用状況に対して情報を収集することである。ところが、定時感知を行う過程の前に、まず衣類ケア機器の電気制御モジュールに感知時間及び間隔時間を予め保存する必要があり、定時感知は、リアルタイム感知に比べて、衣類ケア機器のエネルギー消費をさらに低減させる。
【００１０】
具体的には、スチーム発生器は水分を加熱し、スチームハンドル上の人体感知モジュールは、ユーザの手部がスチームハンドルから離れたか否かを感知し、また、感知し得た状況をタッチ信号へ変換することができ、制御ユニットは、上記タッチ信号の持続時間に基づいてスチーム発生器の制御命令を送信し、そのうち、人体感知モジュールは、単一の回路素子と、単一のセンサーと、センサーアレイとのうちいずれか一つ又は複数の組合せを含み、単一の回路素子(例えば、金属シート、ＰＣＢモジュール、導電媒介など）を人体感知モジュールのセンシングユニットとする場合に、感知原理は、人体と人体感知モジュールとの接触する過程において人体感知モジュールの電気工学パラメーターを変更することにより、タッチ信号を発生させることである。なお、複数の異なる原理の単一のセンサーを用いて同時に感知すると、感知過程がより的確に確保される。具体的に、温度センサー及び圧力センサーが同時に感知すると、温度センサーが感知したタッチ温度信号が人体温度信号に該当する場合に、圧力センサーによりタッチ圧力信号が人体圧力信号に該当する場合であるのをさらに感知する必要はあり、そうすると、スチーム発生器が作動するように制御することができる。例えば、複数の異なる原理の単一のセンサーが単独的に感知するように設けることにより、感知過程の多様性を実現する。ユーザは命令を予め設定することにより、センサーの単独的に感知すること又は同時に感知することを選択し、ユーザの個性的な需要及び使用体験を高める。
【００１１】
また、本発明の上記実施例に係る衣類ケア機器の制御方法は、以下のような付加的な技術的特徴をさらに有することができる。
【００１２】
本発明の一つの実施例によると、人体感知モジュールがユーザが前記スチームハンドルを使用しているか否かを感知するように制御するステップは、具体的に、前記衣類ケア機器のメカニカルスイッチのメカニカルターンオン命令を取得するステップと、前記メカニカルターンオン命令を取得した後、ユーザが前記スチームハンドルを使用しているか否かを感知するように前記人体感知モジュールをトリガーするステップと、前記衣類ケア機器のメカニカルスイッチのメカニカルターンオフ命令を取得するステップと、前記メカニカルターンオフ命令を取得した後、加熱を停止するように前記スチーム発生器を制御するステップと、を含む。
【００１３】
本発明の実施例に係る衣類ケア機器の制御方法は、メカニカルスイッチのメカニカルターンオン命令によりリアルタイムに検出するように人体感知モジュールをトリガーすること、及びメカニカルスイッチのメカニカルターンオフ命令により加熱を停止するようにスチーム発生器を制御することは、ユーザの使用需要にさらに適応することができる。具体的に、スチームハンドルスイッチは、人体感知モジュールの電源ケーブルに直列接続されてもよく、スチームハンドルスイッチをオンにした後、人体感知モジュールは、電源につながるようになり、作業を開始し、ユーザがスチームハンドルを使用しているか否かを感知し、スチームハンドルのスイッチをオフにした後、制御ユニットは、人体感知モジュールからの信号を受信できなくなり、又はスチームハンドルスイッチからの機械信号を受信し、駆動加熱装置に加熱を停止する命令を送信する。
【００１４】
本発明の一つの実施例によると、前記人体感知モジュールは、赤外線センサーを含み、前記人体感知モジュールが感知したタッチ信号に基づいて前記スチーム発生器の作動状態を制御するステップは、具体的に、前記赤外線センサーは、人体の特性赤外線信号を感知した後、前記特性赤外線信号の持続時間が第１の所定タッチ時間以上であるか否かを判断し、そのうち、前記特性赤外線信号は、人体温度赤外線信号及び/又は人体動作赤外線信号を含むステップと、前記特性赤外線信号の持続時間が前記第１の所定タッチ時間以上であると判定した時に、加熱命令を送信して前記スチーム発生器加熱するようにを制御するステップと、を含む。
【００１５】
本発明の実施例に係る衣類ケア機器の制御方法は、人体の特性赤外線信号を取得した後、その持続時間が第１の所定タッチ時間より大きい時に、スチーム発生器が加熱するように制御することにより、その他の物品の赤外線が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、人体の体温信号に対応する赤外放射線を計測することにより、ユーザの日常生活において人体の体温と同じ温度の物品は滅多にないので、人体信号の的確な検出を実現することができる。
【００１６】
本発明の一つの実施例によると、前記人体感知モジュールは、圧力センサーを含み、前記人体感知モジュールが感知したタッチ信号に基づいて前記スチーム発生器の作動状態を制御するステップは、具体的に、前記圧力センサーは、人体の圧力信号を感知した後、前記圧力信号の持続時間が前記第１の所定タッチ時間以上であるか否かを判断し、そのうち、前記圧力信号は、圧力範囲信号と、圧力値信号と、圧力方向信号とのうちいずれか一つ又は複数の組合せを含むステップと、前記圧力信号の持続時間が前記第１の所定タッチ時間以上であると判定した時に、加熱命令を送信して前記スチーム発生器が加熱するように制御するステップと、を含む。
【００１７】
本発明の実施例に係る衣類ケア機器の制御方法は、人体の圧力信号を取得した後、その持続時間が第１の所定タッチ時間より大きい時に、スチーム発生器が加熱するように制御することにより、その他の物品の圧力が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、ユーザがスチームハンドルを把持した際の力面積及び/又は圧力値の大きさを計測することにより、ユーザの日常生活において人体の手形面積と相似する物品は滅多にないので、人体信号の的確な検出を実現することができる。
【００１８】
本発明の一つの実施例によると、人体感知モジュールは、電気センサーを含み、前記人体感知モジュールが感知したタッチ信号に基づいて前記スチーム発生器の作動状態を制御するステップは、具体的に、前記電気センサーは、人体の電気信号を感知した後、前記電気信号の持続時間が前記第１の所定タッチ時間以上であるか否かを判断し、そのうち、前記電気信号は、人体の電位信号と、人体のインピーダンス信号と、人体の生物電気信号とのうちいずれか一種又は複数種類の組合せを含むステップと、前記電気信号の持続時間が前記第１の所定タッチ時間以上であると判定した時に、加熱命令を送信して前記スチーム発生器が加熱するように制御するステップと、を含む。
【００１９】
本発明の実施例に係る衣類ケア機器の制御方法は、人体の電気信号を取得した後、その持続時間が第１の所定タッチ時間より大きい時に、スチーム発生器が加熱するように制御し、その他の物品の電気信号が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、人体が一種の良好な導体として、電位が０と近似的であると思われてもよい。人体はスチームハンドルにタッチすると同時に、ハンドル上の人体感知モジュールの電位差を変更し、これにより、トリガー操作を実現し、スチーム発生器が加熱するように制御する制御ユニットを制御する。
【００２０】
本発明の一つの実施例によると、ユーザが前記スチームハンドルを使用しているのを検出しなかった遊休時間が第２の所定タッチ時間以上であるか否かを判断するステップと、前記遊休時間が前記第２の所定タッチ時間以上であるとこを判定した後、加熱を停止する命令を送信して加熱を停止するように前記スチーム発生器を制御するステップと、前記タッチ時間が前記第１の所定タッチ時間以上であり、且つ前記遊休時間が前記第２の所定タッチ時間以上であると判定した時に、保温命令を送信して前記スチーム発生器が待機保温状態に入るように制御するステップと、をさらに、含む。
【００２１】
本発明の実施例に係る衣類ケア機器の制御方法は、スチームハンドルの遊休時間が第２の所定タッチ時間に達した後、タイマは、加熱を停止する命令を送信するように制御ユニットをトリガーすることにより、スチーム発生器に加熱を停止させ、必要のないエネルギー消費の浪費を減らすと同時に、衣類ケア機器の使用安全を確保し、スチーム発生器内の水が完全に蒸発した後の危険性を有効に低減させる。また、タッチ時間が前記第１の所定タッチ時間以上であり、且つ遊休時間が第２の所定タッチ時間以上である時に、保温命令を送信してスチーム発生器が保温するように制御することにより、スチーム発生器のエネルギー消費の浪費を低減させた。具体的に、ユーザは、衣類ケア機器を開始させて衣類のアイロンをかける過程において、衣類ケア機器のハンドルを持続的に把持しない可能性があり、ユーザは衣類ケア機器のハンドルを置いた後、直ちにスチーム発生器の加熱過程を中断させると、スチーム発生器の温度は急速的に低下することになり、これは、ユーザが次回に衣類ケア機器を使用する時に、スチーム発生器は再加熱する必要があり、エネルギー消費の浪費となる。
【００２２】
本発明の一つの実施例によると、前記電気センサーは、具体的に、銅シートと、プリント回路基板と、導電綿と、導電アルミ箔とのうちいずれか一種又は複数種類の組合せを含み、そのうち、前記電気センサーは、前記スチームハンドルの外側部と、頂部と、底部とのうち一つ又は複数の箇所に設けられてもよい。
【００２３】
本発明の実施例に係る衣類ケア機器の制御方法は、電気センサーを銅シートと、プリント回路基板と、導電綿と、導電アルミ箔とのうちいずれか一種又は複数種類の組合せとして設けることにより、人体感知モジュールの製作コスト及びテスト感度を有効的に低減させる。具体的に、スチームハンドルの外側部に導電アルミ箔及び/又は銅シートを設けることにより、人体が良好な導体であるため、アースと同電位であると近似的に思われてもよいため、人体がスチームハンドル上の導電アルミ箔及び/又は銅シートと接触する時に、人体感知モジュールの電位を変える。変えられた電位の持続時間が所定タッチ時間に達したと検出した時に、作動するようにスチーム発生器をトリガーする。また、導電アルミ箔の製造コストが低く、既存製作方法と互換であるため、技術の普及及び量産に適用される。
【００２４】
本発明の第２態様に係る実施例は、衣類ケア機器の制御システムをさらに提供する。当該制御システムは、ユーザが前記スチームハンドルを使用しているか否かを感知するように前記人体感知モジュールを制御する制御ユニットを含み、前記制御ユニットは、さらに、前記人体感知モジュールが感知したタッチ信号に基づいて前記スチーム発生器の作動状態を制御する。
【００２５】
本発明の実施例に係る衣類ケア機器の制御システムは、人体感知モジュールが感知したタッチ信号に基づいてスチーム発生器の作動状態を制御することを通じて、ユーザの使用状況に応じてスチーム発生器の知能的な制御を実現する過程を制御して実現すると同時に、衣類ケア機器のエネルギー消費及び水分損失を低減させ、ユーザの使用体験を高める。そのうち、感知方式は、リアルタイム感知と定時感知とを含み、リアルタイム感知は、即ち、人体感知モジュールの作動過程において、ユーザの使用状況に対して情報を収集することである。ところが、定時感知を行う過程の前に、まず衣類ケア機器の電気制御モジュールに感知時間及び間隔時間を予め保存する必要があり、定時感知は、リアルタイム感知に比べ、衣類ケア機器のエネルギー消費をさらに低減させる。
【００２６】
具体的には、スチーム発生器は、水分を加熱し、スチームハンドル上の人体感知モジュールは、ユーザの手部がスチームハンドルから離れたか否かを感知し、また、感知し得た状況をタッチ信号へ変換することができ、制御ユニットは、上記タッチ信号の持続時間に基づいてスチーム発生器の制御命令を送信し、そのうち、人体感知モジュールは、単一の回路素子と、単一のセンサーと、センサーアレイとのうちいずれか一つ又は複数の組合せを含み、単一の回路素子(例えば、金属シート、ＰＣＢモジュール、導電媒介など）を人体感知モジュールのセンシングユニットとする場合に、感知原理は、人体と人体感知モジュールとの接触する過程において人体感知モジュールの電気工学パラメーターを変更することにより、タッチ信号を発生させることである。なお、複数の異なる原理の単一のセンサーを用いて同時に感知すると、感知過程がより的確に確保される。具体的に、温度センサー及び圧力センサーが同時に感知すると、温度センサーが感知したタッチ温度信号が人体温度信号に該当する場合に、圧力センサーによりタッチ圧力信号が人体圧力信号に該当する場合であるのをさらに感知する必要はあり、そうすると、スチーム発生器が作動するように制御することができる。例えば、複数の異なる原理の単一のセンサーが単独的に感知するように設けることにより、感知過程の多様性を実現する。ユーザが命令を予め設定することにより、センサーの単独的に感知すること又は同時に感知することを選択し、ユーザの個性的な需要及び使用体験を高める。
【００２７】
本発明の一つの実施例によると、前記衣類ケア機器のメカニカルスイッチのメカニカルターンオン命令を取得する取得ユニットと、前記メカニカルターンオン命令を取得した後、ユーザが前記スチームハンドルを使用しているか否かを感知するように前記人体感知モジュールをトリガーするトリガーユニットと、を含み、取得ユニットは、さらに、前記衣類ケア機器のメカニカルスイッチのメカニカルターンオフ命令を取得し、トリガーユニットは、さらに、前記メカニカルターンオフ命令を取得した後、加熱を停止するように前記スチーム発生器を制御する。
【００２８】
本発明の実施例に係る衣類ケア機器の制御システムは、メカニカルスイッチのメカニカルターンオン命令によりリアルタイムに検出するように人体感知モジュールをトリガーすること、及びメカニカルスイッチのメカニカルターンオフ命令により加熱を停止するようにスチーム発生器を制御することは、ユーザの使用需要にさらに適応することができる。具体的に、スチームハンドルスイッチは、人体感知モジュールの電源ケーブルに直列接続されてもよく、スチームハンドルスイッチをオンにした後、人体感知モジュールは、電源につながるようになり、作業を開始し、ユーザがスチームハンドルを使用しているか否かを感知し、スチームハンドルのスイッチをオフにした後、制御ユニットは、人体感知モジュールからの信号を受信できなくなり、又はスチームハンドルスイッチからの機械信号を受信し、駆動加熱装置に加熱を停止する命令を送信する。
【００２９】
本発明の一つの実施例によると、前記人体感知モジュールは、赤外線センサーを含み、前記赤外線センサーが人体の特性赤外線信号を感知した後、前記特性赤外線信号の持続時間が第１の所定タッチ時間以上であるか否かを判断し、そのうち、前記特性赤外線信号は、人体温度赤外線信号及び/又は人体動作赤外線信号を含む判断ユニットと、前記特性赤外線信号の持続時間が第１の所定タッチ時間以上であると判定した時に、加熱命令を送信して前記スチーム発生器が加熱するように制御する送信ユニットと、を含む。
【００３０】
本発明の実施例に係る衣類ケア機器の制御システムは、人体の特性赤外線信号を取得した後、その持続時間が第１の所定タッチ時間より大きい時に、スチーム発生器が加熱するように制御することにより、その他の物品の赤外線が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、人体の体温信号に対応する赤外放射線を計測することにより、ユーザの日常生活において人体の体温と同じ温度の物品は滅多にないので、人体信号の的確な検出を実現することができる。
【００３１】
本発明の一つの実施例によると、前記人体感知モジュールは、圧力センサーを含み、前記圧力センサーが人体の圧力信号を感知した後、前記圧力信号の持続時間が前記第１の所定タッチ時間以上であるか否かを判断し、そのうち、前記圧力信号は、圧力範囲信号と、圧力値信号と、圧力方向信号とのうちいずれか一つ又は複数の組合せを含む判断ユニットと、前記圧力信号の持続時間が前記第１の所定タッチ時間以上であると判定した時に、加熱命令を送信して前記スチーム発生器が加熱するように制御する送信ユニットと、を含む。
【００３２】
本発明の実施例に係る衣類ケア機器の制御システムは、人体の圧力信号を取得した後、その持続時間が第１の所定タッチ時間より大きい時に、スチーム発生器が加熱するように制御することにより、その他の物品の圧力が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、ユーザがスチームハンドルを把持した際の力面積及び/又は圧力値の大きさを計測することにより、ユーザの日常生活において人体の手形面積と相似する物品は滅多にないので、人体信号の的確な検出を実現することができる。
【００３３】
本発明の一つの実施例によると、前記人体感知モジュールは、電気センサーを含み、前記電気センサーが人体の電気信号を感知した後、前記電気信号の持続時間が第１の所定タッチ時間以上であるか否かを判断し、そのうち、前記電気信号は、人体の電位信号と、人体のインピーダンス信号と、人体の生物電気信号とのうちいずれか一種又は複数種類の組合せを含む判断ユニットと、前記電気信号の持続時間が第１の所定タッチ時間以上であると判定した時に、加熱命令を送信して前記スチーム発生器が加熱するように制御する送信ユニットと、を含む。
【００３４】
本発明の実施例に係る衣類ケア機器の制御システムは、人体の電気信号を取得した後、その持続時間が第１の所定タッチ時間より大きい時に、スチーム発生器が加熱するように制御し、その他の物品の電気信号が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。例えば、人体が一種の良好な導体として、電位が０と近似的であると思われてもよい。人体はスチームハンドルにタッチすると同時に、ハンドル上の人体感知モジュールの電位差を変更し、これにより、トリガー操作を実現し、スチーム発生器が加熱するように制御する制御ユニットを制御する。
【００３５】
本発明の一つの実施例によると、前記判断ユニットは、さらに、ユーザが前記スチームハンドルを使用しているのを検出しなかった遊休時間が第２の所定タッチ時間以上であるか否かを判断する。前記送信ユニットは、さらに、前記遊休時間が前記第２の所定タッチ時間以上であるとを判定した後、加熱を停止する命令を送信して加熱を停止するように前記スチーム発生器を制御する。前記送信ユニットは、さらに、前記タッチ時間が前記第１の所定タッチ時間以上であり、且つ前記遊休時間が前記第２の所定タッチ時間以上であると判定した時に、保温命令を送信して前記スチーム発生器が保温するように制御する。
【００３６】
本発明の実施例に係る衣類ケア機器の制御システムは、スチームハンドルの遊休時間が第２の所定タッチ時間に達した後、タイマは、加熱を停止する命令を送信するように制御ユニットをトリガーすることにより、スチーム発生器に加熱を停止させ、必要のないエネルギー消の浪費を減らすと同時に、衣類ケア機器の使用安全を確保し、スチーム発生器内の水が完全に蒸発した後の危険性を有効に低減させる。また、前記タッチ時間が前記第１の所定タッチ時間以上であり、且つ遊休時間が第２の所定タッチ時間以上である時に、保温命令を送信してスチーム発生器が保温するように制御することにより、スチーム発生器のエネルギー消費の浪費を低減させる。具体的に、ユーザは、衣類ケア機器を開始させて衣類のアイロンをかける過程において、衣類ケア機器のハンドルを持続的に把持しない可能性があり、ユーザは衣類ケア機器のハンドルを置いた後、直ちにスチーム発生器の加熱過程を中断させると、スチーム発生器の温度は急速的に低下することになり、これは、ユーザが次回に衣類ケア機器を使用する時に、スチーム発生器が再加熱する必要があり、エネルギー消費の浪費となる。
【００３７】
本発明の一つの実施例によると、衣類ケア機器の制御システムは、前記スチームハンドルに設けられた給電電池モジュールをさらに含み、前記給電電池モジュールは、前記スチーム発生器と、前記スチームハンドルと、前記制御ユニットとに接続され、電池を載置して前記スチーム発生器と、前記スチームハンドルと、前記制御ユニットとに給電する電池載置部と、前記電池載置部に接続され、前記電池を充電する商用電源アクセス部と、電池載置部に接続され、前記電池の電気量を検出する電気量検出モジュールと、前記回路検出モジュールに接続され、前記電気量検出モジュールの検出結果に基づいて前記電気量を提示する電気量提示モジュールと、含む。
【００３８】
本発明の実施例に係る衣類ケア機器の制御システムは、給電モジュールに電池載置部を設けることにより、衣類ケア機器と工業周波数回路との間のエンティティ回線を避け、衣類ケア機器の使用柔軟性及び便利性を増やす。また、電池の商用電源アクセス部を増やすことにより、電池の充電を実現することができる一方、電池が置かれていない場合に、衣類ケア機器に給電することができる。また、電池電気量の検出及び提示を介し、ユーザは電気量情報をより直観的に取得し、電気量不足による衣類ケア機器の使用中断などの問題を避け、ユーザの使用体験を高める。
【００３９】
本発明の一つの実施例によると、衣類ケア機器の制御システムは、前記制御ユニットと前記スチーム発生器とに接続され、前記制御ユニットの加熱命令を取得して前記スチーム発生器が加熱するように制御し、また前記制御ユニットの加熱を停止する命令を取得して加熱を停止するように前記スチーム発生器を制御する加熱駆動モジュールをさらに含む。  
【００４０】
本発明の実施例に係る衣類ケア機器の制御システムは、スチーム発生器に加熱駆動モジュールを設けることにより、スチーム発生器の急速的な加熱及び一時停止を実現し、且つ出力が持続的に安定であり、衣類ケア機器の信頼性が向上される。具体的に、加熱駆動モジュールの制御端は、制御ユニットからの加熱命令を受信した後、所定出力でスチーム発生器を加熱し、加熱駆動モジュールの制御端は、制御ユニットからの加熱を停止する命令を受信した後、直ちにスチーム発生器の加熱を停止する。
【００４１】
本発明の一つの実施例によると、前記制御ユニットは、さらに、前記加熱駆動モジュールに保温命令を送信して前記スチーム発生器が保温するように制御する。
【００４２】
本発明の実施例に係る衣類ケア機器の制御システムは、制御ユニットは加熱駆動モジュールに保温命令を送信し、スチーム発生器が保温するように制御することにより、スチーム発生器エネルギー消費の浪費を低減させる。具体的に、ユーザは、衣類ケア機器を開始させて衣類のアイロンをかける過程において、衣類ケア機器のハンドルを持続的に把持しない可能性があり、ユーザが衣類ケア機器のハンドルを置いた後、直ちにスチーム発生器の加熱過程を中断させると、スチーム発生器の温度は急速的に低下することになり、これは、ユーザが次回に衣類ケア機器を使用する時に、スチーム発生器を再加熱する必要があり、エネルギー消費の浪費となる。
【００４３】
本発明の一つの実施例によると、制御ユニットは、前記加熱駆動モジュールに接続されるタイマを含み、前記タイマが前記タッチ信号を検出した後、前記タイマは、前記タッチ信号の持続時間が第１の所定タッチ時間以上であるのを算出した後、前記加熱命令を送信するように前記制御ユニットをトリガーする。
【００４４】
本発明の実施例に係る衣類ケア機器の制御システムは、制御ユニットにタイマを設けることにより、タイマは、制御ユニットが受信したタッチ信号の持続時間を算出することができ、タッチ信号の持続時間が第１の所定タッチ時間以上である後、タイマは、加熱命令を送信するように制御ユニットをトリガーする。そうすると、タッチ信号の持続時間を用いてスチームハンドルを誤タッチした後のスチームハンドルの送信したタッチ信号を排除することができると同時に、スチーム発生器の加熱によるエネルギー消費が節約される。  
【００４５】
また、第１の所定タッチ時間は衣類ケア機器のデフォルト時間であってもよいし、又はユーザの手動により入力と修正した後に制御ユニットに記憶されたものであってもよい。ユーザが第１の所定タッチ時間をゼロとして設定した時に、ユーザが衣類ケア機器のハンドルに触ると同時に、スチーム発生器が加熱するように制御することができ、ユーザの待つ時間が減らされ、ユーザの使用体験が高められる。
【００４６】
本発明の一つの実施例によると、前記タイマは、さらに、前記タッチ信号が持続的に検出されていない遊休時間を算出し、前記遊休時間が第２の所定タッチ時間以上であった後、加熱を停止する命令を送信するように前記制御ユニットをトリガーする。
【００４７】
本発明の実施例に係る衣類ケア機器の制御システムは、タイマは、タッチ信号が持続的に検出されていない遊休時間を算出し、スチームハンドルの暇状況を判断する。スチームハンドルの遊休時間が第２の所定タッチ時間以上である後、タイマは、制御ユニットが加熱を停止する命令を送信するようにトリガーし、スチーム発生器に加熱を停止させ、必要のないエネルギー消費の浪費を減らすと同時に、衣類ケア機器の使用安全を確保し、スチーム発生器内の水が完全に蒸発した後の危険性を効果的に低減させる。
【００４８】
本発明の一つの実施例によると、前記タイマは、さらに、前記タッチ信号が持続的に検出されていない遊休時間を算出し、前記遊休時間が第２の所定タッチ時間より小さいである場合に、前記保温命令を送信するように前記制御ユニットをトリガーする。
【００４９】
本発明の実施例に係る衣類ケア機器の制御システムは、タイマは、タッチ信号が持続的に検出されていない遊休時間を算出し、スチームハンドルの暇状況を判断する。タッチ信号が検出されていない遊休時間が第２の所定タッチ時間より小さい場合に、タイマは、制御ユニットが加熱開始器に保温命令を送信するようにトリガーし、加熱駆動装置の加熱量を低減させ、スチーム発生器内の水だけを保温する。この場合に、スチーム発生器内の水の大量な蒸発が停止するようになり、必要のない水分損失が低減されると同時に、ユーザは、短い時間の間隔の後に衣類ケア機器を使用するなら、衣類ケア機器は、再加熱する必要がなく、衣類ケア機器のエネルギー消費の損失が低減される。
【００５０】
また、第２の所定タッチ時間は衣類ケア機器のデフォルト時間であってもよいし、又はユーザの手動により入力及び修正した後に制御ユニットに記憶されたものであってもよい。ユーザが第１の所定タッチ時間を長く設定した時に、衣類ケア機器ハンドルを加湿器として使用してもよい。
【００５１】
本発明の一つの実施例によると、前記スチームハンドルは、ユーザのメカニカルターンオン命令を取得した後、ユーザが前記スチームハンドルを使用しているか否かを感知するように前記人体感知モジュールをトリガーし、また、ユーザのメカニカルターンオフ命令を取得した後、加熱を停止する命令を送信するように前記制御ユニットをトリガーするスチームハンドルスイッチを含む。
【００５２】
本発明の実施例に係る衣類ケア機器の制御システムは、スチームハンドルにスチームハンドルスイッチを設けることにより、ユーザの使用需要にさらに適応することができる。具体的に、スチームハンドルスイッチは、人体感知モジュールの電源ケーブルに直列接続されることができ、スチームハンドルスイッチをオンにした後、人体感知モジュールは、電源につながるようになり、作業を開始し、ユーザがスチームハンドルを使用しているか否かを感知し、スチームハンドルスイッチをオフにした後、制御ユニットは、人体感知モジュールからの信号を受信できなくなり、又はスチームハンドルスイッチの機械信号を受信し、駆動加熱装置に加熱を停止する命令を送信する。
【００５３】
本発明に係る一つの実施例は、提示ランプ及び/又は提示音設備が設けられ、加熱命令を取得した後、前記スチーム発生器が加熱状態であることをユーザに提示し、また、加熱を停止する命令を取得した後、前記スチーム発生器が加熱を停止する状態であることをユーザに提示し、さらに、保温命令を取得した後、前記スチーム発生器が保温状態であることをユーザに提示する提示装置を含む。
【００５４】
本発明の実施例に係る衣類ケア機器の制御システムは、衣類ケア機器の中に提示装置を増やすことにより、衣類ケア機器の作動状態をユーザに提示するのを実現し、衣類ケア機器によるユーザの人身安全への脅威を低減させる。具体的に、提示装置は提示ランプ又は提示音設備であってもよく、例えば、衣類ケア機器の中に提示ランプを設け、一組が加熱命令ランプであり、一組が保温命令ランプである。スチーム発生器が加熱状態である場合に、加熱命令ランプがつき、保温命令ランプが消える。スチーム発生器が加熱を停止する状態である場合に、加熱命令ランプが消え、保温命令ランプが消える。スチーム発生器が保温状態である場合に、保温命令ランプがつく。また、例えば、衣類ケア機器の中に提示音設備を設け、提示音設備は、少なくとも三種類の提示音を再生することができ、それぞれが加熱提示音と、保温提示音と、加熱を停止する提示音とである。三種類の提示音のそれぞれは、相応する三種類の命令に応じて再生され、提示ランプ又は提示音を介して使用者に現在の衣類ケア機器の作動状態を直観的に把握させ、ユーザの使用体験を高める。
【００５５】
本発明の一つの実施例によると、前記スチームハンドルは、電気センサーと、圧力センサーと、温度センサーと、赤外線センサーとのうちいずれか一種又は複数種類の組合せを含む前記人体感知モジュールが設けられた固定構造と、前記スチームハンドルと前記スチーム発生器との間に接続され、前記加熱制御モジュールが加熱する時に、前記スチーム発生器で発生したスチームを前記スチームハンドルに搬送するスチームパイプと、スチーム噴出孔が設けられ、前記スチームをアイロンがけする衣類に噴出させるアイロン板と、ユーザが前記スチームハンドルを把持する箇所に設けられた滑り止め部と、をさらに含む。
【００５６】
本発明の実施例に係る衣類ケア機器は、具体的に、人体感知モジュールは、スチームハンドルのケーシング及びブラケットに位置し、人体感知モジュールは、電気センサーと、圧力センサーと、温度センサーと、赤外線センサーとのうちいずれか一種又は複数種類の組合せを介して使用者の使用状態を感知することができる。
【００５７】
また、滑り止め部を設けることにより、ユーザがスチームハンドルを把持する時に、摩擦力の不足によるスチームハンドルの滑り落ち又は破損などの状況を避ける。具体的に、滑り止め部は、スチームハンドルに嵌めたゴム袋又はスチームハンドルに貼るラバーパッチであってもよいし、スチームハンドルにある突起点又は凹凸条であってもよい。本発明の一つの実施例によると、前記人体感知モジュールは、前記スチームハンドルの両側又は把持部又は頂部又は底部のうち少なくとも一つの箇所に設けられている。
【００５８】
本発明の一つの実施例によると、前記人体感知モジュールは、前記スチームハンドルの両側に対称的に設けられている。
【００５９】
本発明の実施例に係る衣類ケア機器のスチームハンドルは、前記人体感知モジュールが前記スチームハンドルの両側に対称的に設けることにより、スチームハンドルの両側の対称的である位置が人体の手部に最も接触しやすいため、手部がスチームハンドルを把持する時に、人体感知モジュールは、最短時間内で人体信号を感知することができ、また、人体信号の累積時間が一定の時間数以上である場合に、トリガー信号としてスチーム発生器が作動するように制御し、人体がスチームハンドルを把持する時に、人体感知モジュールをわざと触る必要がなく、ユーザの使用体験を高める。
【００６０】
本発明の一つの実施例によると、前記人体感知モジュールがスチームハンドルの下端の把持部に設けられている。
【００６１】
本発明の実施例に係る衣類ケア機器のスチームハンドルは、人体感知モジュールをスチームハンドルの把持部且つスチームハンドルの下端に設けることにより、ユーザがスチームハンドルを把持する時に、スチーム排出孔（通常にスチームハンドルの内側の頂部に設けられる）から最大程度で離れるようにすることができるので、ユーザのスチームハンドルの端部の誤操作でスチームによるやけどする可能性を低減させ、ユーザの人身安全を守り、ユーザの使用体験を高める。
【００６２】
本発明の一つの実施例によると、前記人体感知モジュールに導電媒体モジュールが設けられている。
【００６３】
本発明の一つの実施例によると、前記導電媒体モジュールは、銅シートと、プリント回路基板と、導電綿と、導電アルミ箔とのうちいずれか一種又は複数種類の組合せである。
【００６４】
本発明の実施例に係る衣類ケア機器のスチームハンドルは、電気センサーを銅シートと、プリント回路基板と、導電綿と、導電アルミ箔とのうちいずれか一種又は複数種類の組合せとして設けることにより、人体感知モジュールの製作コスト及びテスト感度を効果的に低減させた。具体的に、スチームハンドルの外側部に導電アルミ箔及び/又は銅シートを設けることにより、人体が良好な導体であるため、アースと同電位であると近似的に思われてもよいので、人体がスチームハンドル上の導電アルミ箔及び/又は銅シートと接触する時に、人体感知モジュールの電位が変更される。変更された電位の持続時間が所定タッチ時間以上であると検出した場合に、作動するようにスチーム発生器をトリガーする。また、導電アルミ箔の製造コストが低く、従来の製作方法と互換であるため、技術の普及及び量産に適用する。
【００６５】
具体的に、人体感知モジュールが異なるセンサーでテストを行う過程をそれぞれに説明する。スチームパイプの一端がスチーム発生器に接続され、他端がスチームハンドルに接続され、スチームを搬送し、アイロン板にスチーム噴出孔が設けられ、アイロン板上の全てのスチーム噴出孔は、いずれもスチームパイプに接続されている。
（１）人体感知モジュールが電気センサーを介して使用者を感知する場合に、電気センサーの一端が制御ユニットピンに接続され、電気センサーが人体に接触した後、制御ユニットが受信したのは、電位信号の変化である。
（２）人体感知モジュールが圧力センサーを介して使用者を感知する場合に、圧力センサーは、圧力状況に応じて抵抗を変更し、制御ユニットが受信したのは、圧力センサーを通過した電流の大きさの変化である。
（３）人体感知モジュールが温度センサーを介して使用者を感知する場合に、制御ユニットが受信したのは、温度信号の変化である。
【００６６】
本発明の一つの実施例によると、無線通信ネットワークを介して前記制御ユニットと前記加熱駆動モジュールとの間に接続され、前記制御ユニットの前記加熱駆動モジュールに対する制御命令を伝送する無線通信モジュールをさらに含む。
【００６７】
本発明の実施例に係る衣類ケア機器の制御システムは、前記スチームハンドルに人体感知モジュールを設けること、及びユーザが前記スチームハンドルを使用するか否かをリアルタイムに感知することにより、前記スチーム発生器を制御し、ユーザの使用状況に応じてスチーム発生器を知能的制御する過程を実現する同時に、衣類ケア機器のエネルギー消費及び水分損失を低減させ、ユーザの使用体験を高める。
【００６８】
また、衣類ケア機器の中に無線通信方式を増やすことは、ユーザのスチームハンドルを使用する便利性及び柔軟性を高める。具体的に、衣類ケア機器ホストコンピューターとスチームハンドルとの間に通信するためのエンティティラインを必要としなく、無線通信ネットワークを介して命令の受信及び送信を実現する。そのうち、無線通信モジュールは、ブルートゥース通信モジュールと、Ｗｉ−Ｆｉ通信モジュールと、ＲＦ通信モジュールとのうちいずれか一種又は複数種類の組合せを用いることができる。
【００６９】
本発明の一つの実施例によると、前記無線通信モジュールは、無線送信モジュールと、無線受信モジュールと、無線処理モジュールと、を含み、そのうち、無線通信モジュールは、ＲＦ通信モジュールを含む。
【００７０】
本発明の実施例に係る衣類ケア機器の制御システムは、無線通信モジュールを設けることにより、スチームハンドルとスチーム発生器との間の接続回線の制約を避ける同時に、無線通信モジュールの受信送信速度が速く、且つ情報処理速度が速いことから、スチームハンドルとスチーム発生器との間の命令伝送速度は速い。具体的に、人体がスチームハンドル上の人体感知モジュールの感知に接触した後、ＲＦモジュールを介して前記無線通信モジュールによりトリガー信号をマイクロプロセッサーに送信して処理してもらうように人体感知モジュールをトリガーし、ユーザは衣類ケア機器をより便利に使用することができ、ユーザの使用体験を高める。
【００７１】
本発明の一つの実施例によると、前記制御ユニットに前記無線送信モジュール及び前記無線処理モジュールが設けられ、前記加熱駆動モジュールに前記無線受信モジュールが設けられている。
【００７２】
本発明の一つの実施例によると、前記制御ユニットに前記無線送信モジュールが設けられ、前記加熱駆動モジュールに前記無線処理モジュール及び前記無線受信モジュールが設けられている。
【００７３】
本発明の第３の態様に係る実施例は、上記いずれかの技術案に記載の衣類ケア機器の制御システムを含む衣類ケア機器をさらに提供する。
【００７４】
本発明の第４の態様に係る実施例は、加熱駆動モジュールが設けられたスチーム発生器と、スチームハンドルであって、ユーザが前記スチームハンドルを使用しているか否かをリアルタイムに感知する人体感知モジュールが設けられたスチームハンドルと、前記スチームハンドル及び前記加熱駆動モジュールに接続され、前記人体感知モジュールがリアルタイムに感知したタッチ信号に基づいて前記加熱駆動モジュールの作動状態を制御するマイクロプロセッサーと、無線通信ネットワークを介して前記マイクロプロセッサーと前記加熱駆動モジュールとの間に接続され、前記マイクロプロセッサーの前記加熱駆動モジュールに対する制御命令を伝送する無線通信モジュールと、を含む衣類ケア機器を提供する。
【００７５】
本発明の第５の態様に係る実施例は、給電電池モジュールが設けられ、水分を加熱してスチームが発生するスチーム発生器と、スチームハンドルであって、ユーザが前記スチームハンドルを使用しているか否かを感知する人体感知モジュールが設けられ、前記給電電池モジュールが前記スチームハンドルに給電するスチームハンドルと、前記スチームハンドル及び前記スチーム発生器に接続され、前記人体感知モジュールが感知したタッチ信号に基づいて前記スチーム発生器の作動状態を制御する制御ユニットと、を含む衣類ケア機器を提供する。
【００７６】
本発明の付加的な特徴及び利点は、一部が下記の説明の中にあり、一部が下記の説明により、明らかになり、又は本発明の実践により理解される。
【図面の簡単な説明】
【００７７】
本発明の上記及び／又は付加的な特徴及び利点は、以下の図面に合わせて本実施形態に対する説明の中で、明らかになり、理解されやすい。
【図１】本発明の一つの実施例に係る衣類ケア機器を示す概略構造図である。
【図２】本発明の一つの実施例に係る衣類ケア機器のスチームハンドルの背面を示す    概略図である。
【図３】本発明の一つの実施例に係る衣類ケア機器のスチームハンドルの正面を示す    概略図である。
【図４】本発明の一つの実施例に係る衣類ケア機器の制御方法を示す概略フロートチ    ャートである。
【図５】本発明のもう一つの実施例に係る衣類ケア機器の制御システムを示す概略ブ    ロック図である。
【発明を実施するための形態】
【００７８】
本発明の上記目的、特徴、及び利点をさらに明白に理解することができるために、以下、図面及び実施形態に合わせて本発明をさらに詳しく説明する。なお、矛盾しない場合に、本願の実施例及び実施例における特徴は、互いに組み合わせることができる。
【００７９】
以下の説明の中に本発明を理解するための多くの具体的な細かい点が記載されるが、本発明は、ここで説明された形態と異なるその他の形態を採用して実施してもよいので、本発明の保護範囲は、以下に開示された具体的な実施例に限定されない。
【００８０】
図４に本発明の実施例に係る衣類ケア機器の制御方法の概略フロートチャートが示されている。
【００８１】
図４に示すように、本発明の実施例に係る衣類ケア機器の制御方法は、ユーザが前記スチームハンドルを使用しているか否かを感知するように前記人体感知モジュールを制御するステップ４０２と、前記人体感知モジュールが感知したタッチ信号に基づいて前記スチーム発生器の作動状態を制御するステップ４０４と、を含む。
【００８２】
本発明の実施例に係る衣類ケア機器の制御方法は、人体感知モジュールが感知したタッチ信号に基づいてスチーム発生器の作動状態を制御するステップを通じて、ユーザの使用状況に応じてスチーム発生器の知能的な制御を実現する過程を制御して実現すると同時に、衣類ケア機器のエネルギー消費及び水分損失を低減させ、ユーザの使用体験を高める。そのうち、感知の方式は、リアルタイム感知と定時感知とを含み、リアルタイム感知は、即ち、人体感知モジュールの作動過程において、ユーザの使用状況に対して情報を収集することである。ところが、定時感知を行う過程の前に、まず衣類ケア機器の電気制御モジュールに感知時間及び間隔時間を予め保存する必要があり、定時感知は、リアルタイム感知に比べ、衣類ケア機器のエネルギー消費をさらに低減させた。
【００８３】
具体的には、スチーム発生器は水分を加熱し、スチームハンドル上の人体感知モジュールは、ユーザの手部がスチームハンドルから離れたか否かを感知し、また、感知し得た状況をタッチ信号へ変換することができ、制御ユニットは、上記タッチ信号の持続時間に基づいてスチーム発生器の制御命令を送信する。そのうち、人体感知モジュールは、単一の回路素子と、単一のセンサーと、センサーアレイとのうちいずれか一つ又は複数の組合せを含み、単一の回路素子(例えば、金属シート、ＰＣＢモジュール、導電媒介など）を人体感知モジュールのセンシングユニットとする場合に、感知原理は、人体と人体感知モジュールとの接触する過程において人体感知モジュールの電気工学パラメーターを変更することにより、タッチ信号を発生させることである。なお、複数の異なる原理の単一のセンサーを用いて同時に感知すると、感知過程がより的確に確保される。具体的に、温度センサー及び圧力センサーが同時に感知すると、温度センサーが感知したタッチ温度信号が人体温度信号に該当する場合に、圧力センサーによりタッチ圧力信号が人体圧力信号に該当する場合であるのをさらに感知する必要はあり、そうすると、スチーム発生器が作動するように制御することができる。例えば、複数の異なる原理の単一のセンサーが単独的に感知するように設けることにより、感知過程の多様性を実現する。ユーザが命令を予め設定することにより、センサーの単独的に感知すること又は同時に感知することを選択し、ユーザの個性的な需要及び使用体験を高める。
【００８４】
また、本発明の上記実施例に係る衣類ケア機器の制御方法は、以下のような付加的な技術的特徴をさらに有することができる。
【００８５】
本発明の一つの実施例によると、ユーザが前記スチームハンドルを使用しているか否かを感知するように人体感知モジュールを制御するステップは、具体的に、前記衣類ケア機器のメカニカルスイッチのメカニカルターンオン命令を取得するステップと、前記メカニカルターンオン命令を取得した後、ユーザが前記スチームハンドルを使用しているか否かを感知するように前記人体感知モジュールをトリガーするステップと、前記衣類ケア機器のメカニカルスイッチのメカニカルターンオフ命令を取得するステップと、前記メカニカルターンオフ命令を取得した後、加熱を停止するように前記スチーム発生器を制御するステップと、を含む。
【００８６】
本発明の実施例に係る衣類ケア機器の制御方法は、メカニカルスイッチのメカニカルターンオン命令によりリアルタイムに検出するように人体感知モジュールをトリガーすること、及びメカニカルスイッチのメカニカルターンオフ命令により加熱を停止するようにスチーム発生器を制御することは、ユーザの使用需要にさらに適応することができる。具体的に、スチームハンドルスイッチは、人体感知モジュールの電源ケーブルに直列接続されてもよく、スチームハンドルスイッチをオンにした後、人体感知モジュールは、電源につながるようになり、作業を開始し、ユーザがスチームハンドルを使用しているか否かを感知し、スチームハンドルのスイッチをオフにした後、制御ユニットは、人体感知モジュールからの信号を受信できなくなり、又はスチームハンドルスイッチからの機械信号を受信し、駆動加熱装置に加熱を停止する命令を送信する。
【００８７】
本発明の一つの実施例によると、前記人体感知モジュールは、赤外線センサーを含み、人体感知モジュールが感知したタッチ信号に基づいて前記スチーム発生器の作動状態を制御するステップは、具体的に、前記赤外線センサーは、人体の特性赤外線信号を感知した後、前記特性赤外線信号の持続時間が第１の所定タッチ時間以上であるか否かを判断し、そのうち、前記特性赤外線信号は、人体温度赤外線信号及び/又は人体動作赤外線信号を含むステップと、前記特性赤外線信号の持続時間が第１の所定タッチ時間以上であると判定した時に、加熱命令を送信して前記スチーム発生器が加熱するように制御するステップと、を含む。
【００８８】
本発明の実施例に係る衣類ケア機器の制御方法は、人体の特性赤外線信号を取得した後、その持続時間が第１の所定タッチ時間より大きい時に、スチーム発生器が加熱するように制御することにより、その他の物品の赤外線が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、人体の体温信号に対応する赤外放射線を計測することにより、ユーザの日常生活において人体の体温と同じ温度の物品は滅多にないので、人体信号の的確な検出を実現することができる。
【００８９】
本発明の一つの実施例によると、前記人体感知モジュールは、圧力センサーを含み、前記人体感知モジュールが感知したタッチ信号に基づいて前記スチーム発生器の作動状態を制御するステップは、具体的に、前記圧力センサーは、人体の圧力信号を感知した後、前記圧力信号の持続時間が前記第１の所定タッチ時間以上であるか否かを判断し、そのうち、前記圧力信号は、圧力範囲信号と、圧力値信号と、圧力方向信号とのうちいずれか一つ又は複数の組合せを含むステップと、前記圧力信号の持続時間が前記第１の所定タッチ時間以上であると判定した時に、加熱命令を送信して前記スチーム発生器が加熱するように制御するステップと、を含む。
【００９０】
本発明の実施例に係る衣類ケア機器の制御方法は、人体の圧力信号を取得した後、その持続時間が第１の所定タッチ時間より大きい時に、スチーム発生器が加熱するように制御することにより、その他の物品の圧力が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、ユーザがスチームハンドルを把持した際の力面積及び/又は圧力値の大きさを計測することにより、ユーザの日常生活において人体の手形面積と相似する物品は滅多にないので、人体信号の的確な検出を実現することができる。
【００９１】
本発明の一つの実施例により、人体感知モジュールは、電気センサーを含み、前記人体感知モジュールが感知したタッチ信号に基づいて前記スチーム発生器の作動状態を制御するステップは、具体的に、前記電気センサーは、人体の電気信号を感知した後、前記電気信号の持続時間が前記第１の所定タッチ時間以上であるか否かを判断し、そのうち、前記電気信号は、人体の電位信号と、人体のインピーダンス信号と、人体の生物電気信号とのうちいずれか一種又は複数種類の組合せを含むステップと、前記電気信号の持続時間が前記第１の所定タッチ時間以上であると判定した時に、加熱命令を送信して前記スチーム発生器が加熱するように制御するステップと、を含む。
【００９２】
本発明の実施例に係る衣類ケア機器の制御方法は、人体の電気信号を取得した後、その持続時間が第１の所定タッチ時間より大きい時に、スチーム発生器が加熱するように制御し、その他の物品の電気信号が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、人体が一種の良好な導体として、電位が０と近似的であると思われてもよい。人体はスチームハンドルにタッチすると同時に、ハンドル上の人体感知モジュールの電位差を変更し、これにより、トリガー操作を実現し、スチーム発生器が加熱するように制御する制御ユニットを制御する。
【００９３】
本発明の一つの実施例によると、ユーザが前記スチームハンドルを使用しているのを検出しなかった遊休時間が第２の所定タッチ時間以上であるか否かを判断するステップと、前記遊休時間が前記第２の所定タッチ時間以上であるとを判定した後、加熱を停止する命令を送信して加熱を停止するように前記スチーム発生器を制御するステップと、前記タッチ時間が前記第１の所定タッチ時間以上であり、且つ前記遊休時間が前記第２の所定タッチ時間以上であると判定した時に、保温命令を送信して前記スチーム発生器が待機保温状態に入るように制御するステップと、をさらに、含む。
【００９４】
本発明の実施例に係る衣類ケア機器の制御方法は、スチームハンドルの遊休時間が第２の所定タッチ時間に達した後、タイマは、加熱停止命令を送信するように制御ユニットをトリガーすることにより、スチーム発生器に加熱を停止させ、必要のないエネルギー消費の浪費を減らすと同時に、衣類ケア機器の使用安全を確保し、スチーム発生器内の水が完全に蒸発した後の危険性を有効に低減させる。また、タッチ時間が前記第１の所定タッチ時間以上であり、且つ遊休時間が第２の所定タッチ時間以上である時に、保温命令を送信してスチーム発生器が保温するように制御することにより、スチーム発生器のエネルギー消費の浪費を低減させる。具体的に、ユーザは、衣類ケア機器を開始させて衣類のアイロンをかける過程において、衣類ケア機器のハンドルを持続的に把持しない可能性があり、ユーザは衣類ケア機器のハンドルを置いた後、直ちにスチーム発生器の加熱過程を中断させると、スチーム発生器の温度は急速的に低下することになり、これは、ユーザが次回に衣類ケア機器を使用する時に、スチーム発生器は再加熱する必要があり、エネルギー消費の浪費となる。
【００９５】
本発明の一つの実施例によると、前記電気センサーは、具体的に、銅シートと、プリント回路基板と、導電綿と、導電アルミ箔とのうちいずれか一種又は複数種類の組合せを含み、そのうち、前記電気センサーは、前記スチームハンドルの外側部と、頂部と、底部とのうち一つ又は複数の箇所に設けられてもよい。
【００９６】
本発明の実施例に係る衣類ケア機器の制御方法は、電気センサーを銅シートと、プリント回路基板と、導電綿と、導電アルミ箔とのうちいずれか一種又は複数種類の組合せとして設けることにより、人体感知モジュールの製作コスト及びテスト感度を有効的に低減させる。具体的に、スチームハンドルの外側部に導電アルミ箔及び/又は銅シートを設けることにより、人体が良好な導体であるため、アースと同電位であると近似的に思われてもよいため、人体がスチームハンドル上の導電アルミ箔及び/又は銅シートと接触する時に、人体感知モジュールの電位を変える。変えられた電位の持続時間が所定タッチ時間に達したと検出した時に、作動するようにスチーム発生器をトリガーする。また、導電アルミ箔の製造コストが低く、既存製作方法と互換であるため、技術の普及及び量産に適用される。
【００９７】
図５は、本発明の実施例に係る衣類ケア機器の制御システムの概略ブロック図を示しである。図５に示すように、本発明の実施例に係る衣類ケア機器の制御システム５００は、ユーザが前記スチームハンドルを使用しているか否かを感知するように前記人体感知モジュールを制御する制御ユニット５０２を含み、前記制御ユニット５０２は、さらに、前記人体感知モジュールが感知したタッチ信号に基づいて前記スチーム発生器の作動状態を制御する。
【００９８】
本発明の実施例に係る衣類ケア機器の制御システムは、人体感知モジュールが感知したタッチ信号に基づいてスチーム発生器の作動状態を制御することを通じて、ユーザの使用状況に応じてスチーム発生器の知能的な制御を実現する過程を制御して実現すると同時に、衣類ケア機器のエネルギー消費及び水分損失を低減させ、ユーザの使用体験を高める。そのうち、感知方式は、リアルタイム感知と定時感知とを含み、リアルタイム感知は、即ち、人体感知モジュールの作動過程において、ユーザの使用状況に対して情報を収集することである。ところが、定時感知を行う過程の前に、まず衣類ケア機器の電気制御モジュールに感知時間及び間隔時間を予め保存する必要があり、定時感知は、リアルタイム感知に比べ、衣類ケア機器のエネルギー消費をさらに低減させる。
【００９９】
具体的には、スチーム発生器は、水分を加熱し、スチームハンドルにおける人体感知モジュールは、ユーザの手部がスチームハンドルから離れたか否かを感知し、また、感知し得た状況をタッチ信号へ変換することができ、制御ユニットは、上記タッチ信号の持続時間に基づいてスチーム発生器の制御命令を送信し、そのうち、人体感知モジュールは、単一の回路素子と、単一のセンサーと、センサーアレイとのうちいずれか一つ又は複数の組合せを含み、単一の回路素子(例えば、金属シート、ＰＣＢモジュール、導電媒介など）を人体感知モジュールのセンシングユニットとする場合に、感知原理は、人体と人体感知モジュールとの接触する過程において人体感知モジュールの電気工学パラメーターを変更することにより、タッチ信号を発生させることである。なお、複数の異なる原理の単一のセンサーを用いて同時に感知すると、感知過程がより的確に確保される。具体的に、温度センサー及び圧力センサーが同時に感知すると、温度センサーが感知したタッチ温度信号が人体温度信号に該当する場合に、圧力センサーによりタッチ圧力信号が人体圧力信号に該当する場合であるのをさらに感知する必要はあり、そうすると、スチーム発生器１が作動するように制御することができる。単独的に感知するように複数の異なる原理の単一のセンサーを設けると、感知過程の多様性を実現する。ユーザが命令を予め設定することにより、センサーの単独的に感知すること又は同時に感知することを選択し、ユーザの個性的な需要及び使用体験を高める。
【０１００】
本発明の一つの実施例によると、前記衣類ケア機器のメカニカルスイッチのメカニカルターンオン命令を取得する取得ユニット５０４と、前記メカニカルターンオン命令を取得した後、ユーザが前記スチームハンドルを使用しているか否かを感知するように前記人体感知モジュールをトリガーするトリガーユニット５０６と、を含み、取得ユニット５０４は、さらに、前記衣類ケア機器のメカニカルスイッチのメカニカルターンオフ命令を取得する。トリガーユニット５０６は、さらに、前記メカニカルターンオフ命令を取得した後、加熱を停止するように前記スチーム発生器を制御する。
【０１０１】
本発明の実施例に係る衣類ケア機器の制御システムは、メカニカルスイッチのメカニカルターンオン命令によりリアルタイムに検出するように人体感知モジュールをトリガーすること、及びメカニカルスイッチのメカニカルターンオフ命令により加熱を停止するようにスチーム発生器を制御することは、ユーザの使用需要にさらに適応することができる。具体的に、スチームハンドルスイッチは、人体感知モジュールの電源ケーブルに直列接続されてもよい。スチームハンドルスイッチをオンにした後、人体感知モジュールは、電源につながるようになり、作業を開始し、ユーザがスチームハンドルを使用しているか否かを感知し、スチームハンドルのスイッチをオフにした後、制御ユニットは、人体感知モジュールからの信号を受信できなくなり、又はスチームハンドルスイッチからの機械信号を受信し、駆動加熱装置に加熱を停止する命令を送信する。
【０１０２】
本発明の一つの実施例によると、前記人体感知モジュールは、赤外線センサーを含み、前記赤外線センサーが人体の特性赤外線信号を感知した後、前記特性赤外線信号の持続時間が第１の所定タッチ時間以上であるか否かを判断し、そのうち、前記特性赤外線信号は、人体温度赤外線信号及び/又は人体動作赤外線信号を含む判断ユニット５０８と、前記特性赤外線信号の持続時間が第１の所定タッチ時間以上であると判定した時に、加熱命令を送信して前記スチーム発生器が加熱するように制御する送信ユニット５１０と、を含む。
【０１０３】
本発明の実施例に係る衣類ケア機器の制御システムは、人体の特性赤外線信号を取得した後、その持続時間が第１の所定タッチ時間より大きい時に、スチーム発生器が加熱するように制御することにより、その他の物品の赤外線が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、人体の体温信号に対応する赤外放射線を計測することにより、ユーザの日常生活において人体の体温と同じ温度の物品は滅多にないので、人体信号の的確な検出を実現することができる。
【０１０４】
本発明の一つの実施例によると、前記人体感知モジュールは、圧力センサーを含み、前記圧力センサーが人体の圧力信号を感知した後、前記圧力信号の持続時間が前記第１の所定タッチ時間以上であるか否かを判断し、そのうち、前記圧力信号は、圧力範囲信号と、圧力値信号と、圧力方向信号とのうちいずれか一つ又は複数の組合せを含む判断ユニット５０８と、前記圧力信号の持続時間が前記第１の所定タッチ時間以上であると判定した時に、加熱命令を送信して前記スチーム発生器が加熱するように制御する送信ユニット５１０と、をさらに含む。
【０１０５】
本発明の実施例に係る衣類ケア機器の制御システムは、人体の圧力信号を取得した後、その持続時間が第１の所定タッチ時間より大きい時に、スチーム発生器が加熱するように制御することにより、その他の物品の圧力が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。具体的に、ユーザがスチームハンドルを把持した際の力面積及び/又は圧力値の大きさを計測することにより、ユーザの日常生活において人体の手形面積と相似する物品は滅多にないので、人体信号の的確な検出を実現することができる。
【０１０６】
本発明の一つの実施例によると、前記人体感知モジュールは、電気センサーを含み、前記電気センサーが人体の電気信号を感知した後、前記電気信号の持続時間が第１の所定タッチ時間以上であるか否かを判断し、そのうち、前記電気信号は、人体の電位信号と、人体のインピーダンス信号と、人体の生物電気信号とのうちいずれか一種又は複数種類の組合せを含む判断ユニット５０８と、前記電気信号の持続時間が第１の所定タッチ時間以上であると判定した時に、加熱命令を送信して前記スチーム発生器が加熱するように制御する送信ユニット５１０と、を含む。
【０１０７】
本発明の実施例に係る衣類ケア機器の制御システムは、人体の電気信号を取得した後、その持続時間が第１の所定タッチ時間より大きい時に、スチーム発生器が加熱するように制御し、その他の物品の電気信号が人体感知モジュールに対して発生したエラー信号を避け、エラー信号による、人体感知モジュールがスチーム発生器の加熱を誤って制御することを低減させ、スチーム発生器のエネルギー消費の浪費を避けることができる。例えば、人体が一種の良好な導体として、電位が０と近似的であると思われてもよい。人体はスチームハンドルにタッチすると同時に、ハンドル上の人体感知モジュールの電位差を変更し、これにより、トリガー操作を実現し、スチーム発生器が加熱するように制御する制御ユニットを制御する。
【０１０８】
本発明の一つの実施例によると、前記判断ユニット５０８は、さらに、ユーザが前記スチームハンドルを使用しているのを検出しなかった遊休時間が第２の所定タッチ時間以上であるか否かを判断する。前記送信ユニット５１０は、さらに、前記遊休時間が前記第２の所定タッチ時間以上であるとを判定した後、加熱を停止する命令を送信して加熱を停止するように前記スチーム発生器を制御する。また、前記送信ユニット５１０は、さらに、前記タッチ時間が前記第１の所定タッチ時間以上であり、且つ前記遊休時間が前記第２の所定タッチ時間以上であると判定した時に、保温命令を送信して前記スチーム発生器が待機保温状態に入るように制御する。
【０１０９】
本発明の実施例に係る衣類ケア機器の制御システムは、スチームハンドルの遊休時間が第２の所定タッチ時間に達した後、タイマは、加熱を停止する命令を送信するように制御ユニットをトリガーすることにより、スチーム発生器に加熱を停止させ、必要のないエネルギー消の浪費を減らすと同時に、衣類ケア機器の使用安全を確保し、スチーム発生器内の水が完全に蒸発した後の危険性を有効に低減させる。また、タッチ時間が前記第１の所定タッチ時間以上であり、且つ遊休時間が第２の所定タッチ時間以上である時に、保温命令を送信してスチーム発生器が保温するように制御することにより、スチーム発生器のエネルギー消費の浪費を低減させる。具体的に、ユーザは、衣類ケア機器を開始させて衣類のアイロンをかける過程において、衣類ケア機器のハンドルを持続的に把持しない可能性があり、ユーザは衣類ケア機器のハンドルを置いた後、直ちにスチーム発生器の加熱過程を中断させると、スチーム発生器の温度は急速的に低下することになり、これは、ユーザが次回に衣類ケア機器を使用する時に、スチーム発生器が再加熱する必要があり、エネルギー消費の浪費となる。
【０１１０】
本発明の一つの実施例によると、前記電気センサーは、具体的に、銅シートと、プリント回路基板と、導電綿と、導電アルミ箔とのうちいずれか一種又は複数種類の組合せを含み、そのうち、前記電気センサーは、前記スチームハンドルの外側部と、頂部と、底部とのうち一つ又は複数の箇所に設けられてもよい。
【０１１１】
本発明の実施例に係る衣類ケア機器の制御方法は、電気センサーを銅シートと、プリント回路基板と、導電綿と、導電アルミ箔とのうちいずれか一種又は複数種類の組合せとして設けることにより、人体感知モジュールの製作コスト及びテスト感度を有効的に低減させる。具体的に、スチームハンドルの外側部に導電アルミ箔及び/又は銅シートを設けることにより、人体が良好な導体であるため、アースと同電位であると近似的に思われてもよいため、人体がスチームハンドル上の導電アルミ箔及び/又は銅シートと接触する時に、人体感知モジュールの電位を変える。変えられた電位の持続時間が所定タッチ時間に達したと検出した時に、作動するようにスチーム発生器をトリガーする。また、導電アルミ箔の製造コストが低く、既存製作方法と互換であるため、技術の普及及び量産に適用される。
【０１１２】
本発明に係る実施例は、衣類ケア機器をさらに提供し、前記衣類ケア機器の構造は、下記実施形態を含む。
【０１１３】
図１に示すように、前記衣類ケア機器は、一つのベースを含み、ベースにスチーム発生器１が設けられ、スチーム発生器１にランク調節スイッチ３及び注水口５が設けられ、スチーム発生器１は、スチームパイプ４を介してスチームハンドル２に接続される。前記ベースの両辺のそれぞれにブラケット７が設けられ、ブラケット７にエクステンションロッド７１が設けられ、ベースの両辺にある二つのエクステンションロッドにハンガー６及びブラケット７がそれぞれ取り付けられ、ハンガー６は、アイロンがけする衣服を置くためのものであり、ブラケット７はスチームハンドル２を置くためのものである。そのうち、エクステンションロッド７１は、伸縮可能な付加支持ロッド又は着脱可能な付加支持ロッドを含む。
【０１１４】
図２及び図３に示すように、スチームハンドル２のケーシングは、上蓋２０１と下蓋２０８とを含み、上蓋２０１に制御ユニット２０２と、指示装置２０４と、スチームハンドルスイッチ２０５とが固定され、スチームハンドル２の上蓋２０１と下蓋２０８との結合箇所に二つの固定構造２０３がさらに設けられ、固定構造２０３とスチームハンドル２のケーシングとの間に人体感知モジュール２０６が設けられ、スチームハンドル２のケーシングに滑り止め部２０７が嵌めて取り付けられている。
【０１１５】
本発明の一つの具体的な実施例として、本発明は好ましい衣類ケア機器を開示する。以下に、図１-図３を改めて参照し、当該実施例における好ましい衣類ケア機器を詳細に説明する。
【０１１６】
図１-図３に示すように、本発明の実施例に係る衣類ケア機器は、加熱駆動モジュールが設けられたスチーム発生器１と、スチームハンドル２であって、ユーザが前記スチームハンドル２を使用しているか否かをリアルタイムに感知する人体感知モジュール２０６が設けられたスチームハンドル２と、前記スチームハンドル２及び前記加熱駆動モジュールに接続され、前記人体感知モジュール２０６がリアルタイムに感知したタッチ信号に基づいて前記加熱駆動モジュールの作動状態を制御する制御ユニット２０２と、無線通信ネットワークを介して前記制御ユニット２０２と前記加熱駆動モジュールとの間に接続され、前記制御ユニット２０２の前記加熱駆動モジュールに対する制御命令を伝送する無線通信モジュール（図示せず）と、を含む。
【０１１７】
本発明の実施例に係る衣類ケア機器は、前記スチームハンドル２に人体感知モジュール２０６を設けること、及びユーザが前記スチームハンドル２を使用するか否かをリアルタイムに感知することにより、前記スチーム発生器１を制御し、ユーザの使用状況に応じてスチーム発生器１を知能的制御する過程を実現する同時に、衣類ケア機器のエネルギー消費及び水分損失を低減させ、ユーザの使用体験を高める。
【０１１８】
また、衣類ケア機器の中に無線通信方式を増やすことは、ユーザのスチームハンドル２を使用する便利性及び柔軟性を高める。具体的に、衣類ケア機器ホストコンピューターとスチームハンドル２との間に通信するためのエンティティラインを必要としなく、無線通信ネットワークを介して命令を受信すること、及び前記無線通信モジュールを介して送信することを実現する。そのうち、無線通信モジュールは、ブルートゥース通信モジュールと、Ｗｉ−Ｆｉ通信モジュールと、ＲＦ通信モジュールとのうちいずれか一種又は複数種類の組合せを用いることができる。
【０１１９】
具体的に、スチーム発生器１は水分を加熱し、スチームハンドル２上の人体感知モジュール２０６は、ユーザの手部がスチームハンドル２から離れたか否かを感知し、また、感知し得た状況をタッチ信号へ変換することができ、制御ユニット２０２は、上記タッチ信号の持続時間に基づいて前記無線通信モジュールを介してスチーム発生器の制御命令を送信する。
【０１２０】
また、スチーム発生器に加熱駆動モジュールを設けることにより、スチーム発生器の急速的な加熱及び一時停止を実現し、且つ出力が持続的に安定的であり、衣類ケア機器の信頼性が向上される。具体的に、加熱駆動モジュールの制御端は、制御ユニットの前記無線通信モジュールを介して送信した加熱命令を受信した後、所定出力でスチーム発生器を加熱し、加熱駆動モジュールの制御端は、制御ユニットの前記無線通信モジュールを介して送信した加熱を停止する命令を受信した後、直ちにスチーム発生器の加熱を停止する。
【０１２１】
また、本発明の上記実施例に係る衣類ケア機器は、以下のような付加的な技術的特徴をさらに有することができる。
【０１２２】
本発明の一つの実施例によると、前記無線通信モジュールは、無線送信モジュールと、無線受信モジュールと、無線処理モジュールと、を含み、そのうち、無線通信モジュールは、ＲＦ通信モジュールを含む。
【０１２３】
本発明の実施例に係る衣類ケア機器の制御システムは、無線通信モジュールを設けることにより、スチームハンドル２とスチーム発生器１との間の接続回線の制約を避ける同時に、無線通信モジュールの受信送信速度が速く、且つ情報処理速度が速いことから、スチームハンドル２とスチーム発生器１との間の命令伝送速度は速い。具体的に、人体がスチームハンドル２上の人体感知モジュール２０６に接触した後、ＲＦモジュールを介して前記無線通信モジュールによりトリガー信号を制御ユニット２０２に送信して処理してもらうように人体感知モジュール２０６をトリガーし、ユーザは衣類ケア機器をより便利に使用することができ、ユーザの使用体験を高める。
【０１２４】
本発明の一つの実施例によると、前記制御ユニット２０２に前記無線送信モジュール及び前記無線処理モジュールが設けられ、前記加熱駆動モジュールに前記無線受信モジュールが設けられている。
【０１２５】
本発明の一つの実施例によると、前記制御ユニット２０２に前記無線送信モジュールが設けられ、前記加熱駆動モジュールに前記無線処理モジュール及び前記無線受信モジュールが設けられている。
【０１２６】
本発明の一つの実施例により、前記制御ユニット２０２は、さらに、前記無線処理モジュールを介して前記加熱駆動モジュールに保温命令を送信して前記スチーム発生器１が保温するように制御する。
【０１２７】
本発明の実施例に係る衣類ケア機器は、制御ユニット２０２が前記無線処理モジュールを介して加熱駆動モジュールに保温命令を送信し、スチーム発生器１が保温するように制御することにより、スチーム発生器１のエネルギー消費の浪費を低減させる。具体的に、ユーザは、衣類ケア機器を開始させて衣類のアイロンをかける過程において、衣類ケア機器のハンドルを持続的に把持しない可能性があり、ユーザが衣類ケア機器のハンドルを置いた後、直ちにスチーム発生器１の加熱過程を中断させると、スチーム発生器１の温度は急速的に低下することになり、これは、ユーザが次回に衣類ケア機器を使用する時に、スチーム発生器１を再加熱する必要があり、エネルギー消費の浪費となる。
【０１２８】
本発明の一つの実施例によると、制御ユニット２０２は、前記加熱駆動モジュールに接続されたタイマを含み、前記タイマが前記タッチ信号を検出した後、前記タイマは、前記タッチ信号の持続時間が第１の所定タッチ時間以上であるのを算出した後、前記無線処理モジュールを介して前記加熱命令を送信するように前記制御ユニット２０２をトリガーする。前記タイマは、さらに、前記タッチ信号が持続的に検出されていない遊休時間を算出し、前記遊休時間が第２の所定タッチ時間以上である後、前記無線処理モジュールを介して加熱を停止する命令を送信するように前記制御ユニットをトリガーする。
【０１２９】
本発明の実施例に係る衣類ケア機器は、制御ユニット２０２にタイマを設けることにより、タイマは、制御ユニット２０２が受信したタッチ信号の持続時間を算出することができ、タッチ信号の持続時間が第１の所定タッチ時間以上である後、タイマは、前記無線処理モジュールを介して加熱命令を送信するように制御ユニット２０２をトリガーする。そうすると、タッチ信号の持続時間を用いてスチームハンドル２を誤タッチした後のスチームハンドル２の前記無線処理モジュールを介して送信したタッチ信号を排除することができると同時に、スチーム発生器１の加熱によるエネルギー消費が節約される。
【０１３０】
また、第１の所定タッチ時間は衣類ケア機器のデフォルト時間であってもよいし、又はユーザの手動により入力及び修正した後に制御ユニット２０２に記憶されたものであってもよい。ユーザが第１の所定タッチ時間をゼロとして設定した時に、ユーザが衣類ケア機器のハンドルに触ると同時に、スチーム発生器１が加熱するように制御することができ、ユーザの待つ時間が減らされ、ユーザの使用体験が高められる。
【０１３１】
前記無線通信モジュールの送信により、タイマは、タッチ信号が持続的に検出されていない遊休時間を算出し、スチームハンドル２の暇状況を判断する。スチームハンドル２の遊休時間が第２の所定タッチ時間以上である後、タイマは、制御ユニット２０２が前記無線通信モジュールを介して加熱を停止する命令を送信するようにトリガーし、スチーム発生器１に加熱を停止させ、必要のないエネルギー消費の浪費を減らすと同時に、衣類ケア機器の使用安全を確保し、スチーム発生器１内の水が完全に蒸発した後の危険性を効果的に低減させる。
【０１３２】
本発明の一つの実施例によると、前記タイマは、さらに、前記タッチ信号が持続的に検出されていない遊休時間を算出し、前記遊休時間が第２の所定タッチ時間より小さい場合に、前記無線通信モジュールを介して前記保温命令を送信するように前記制御ユニット２０２をトリガーする。
【０１３３】
本発明の実施例に係る衣類ケア機器は、タイマは、前記タッチ信号が持続的に検出されていない遊休時間を算出し、スチームハンドル２の暇状況を判断する。タッチ信号が検出されていない遊休時間が第２の所定タッチ時間より小さいである場合に、タイマは、制御ユニット２０２が前記無線通信モジュールを介して加熱開始器に保温命令を送信するようにトリガーし、加熱駆動装置の加熱量を低減させ、スチーム発生器１内の水だけを保温する。この場合に、スチーム発生器１内の水の大量な蒸発が停止するようになり、必要のない水分損失が低減されると同時に、ユーザは、短い時間の間隔の後に衣類ケア機器を使用するなら、衣類ケア機器は、再加熱する必要がなく、衣類ケア機器のエネルギー消費の損失が低減される。
【０１３４】
また、第２の所定タッチ時間は衣類ケア機器のデフォルト時間であってもよいし、又はユーザの手動により入力及び修正した後に制御ユニット２０２に記憶されたものであってもよい。ユーザが第１の所定タッチ時間を長く設定した時に、衣類ケア機器ハンドルを加湿器として使用してもよい。
【０１３５】
本発明の一つの実施例によると、前記スチームハンドル２は、ユーザのメカニカルターンオン命令を取得した後、ユーザが前記スチームハンドル２を使用しているか否かをリアルタイムに感知するように前記人体感知モジュール２０６をトリガーし、また、ユーザのメカニカルターンオフ命令を取得した後、前記無線通信モジュールを介して加熱を停止する命令を送信するように前記制御ユニット２０２をトリガーするスチームハンドルスイッチ２０５を含む。
【０１３６】
本発明の実施例に係る衣類ケア機器は、スチームハンドル２にスチームハンドルスイッチ２０５を設けることにより、ユーザの使用需要にさらに適応することができる。具体的に、スチームハンドルスイッチ２０５は、人体感知モジュール２０６の電源ケーブルに直列接続されることができ、スチームハンドルスイッチ２０５をオンにした後、人体感知モジュール２０６は、電源につながるようになり、作業を開始し、ユーザがスチームハンドル２を使用しているか否かを感知する。また、スチームハンドルスイッチ２０５をオフにした後、制御ユニット２０２は、人体感知モジュール２０６からの信号を受信できなくなり、又はスチームハンドルスイッチ２０５の機械信号を受信し、駆動加熱装置に前記無線通信モジュールを介して加熱を停止する命令を送信する。
【０１３７】
本発明の一つの実施例によると、提示ランプ及び/又は提示音設備が設けられ、加熱命令を取得した後、前記スチーム発生器１が加熱状態であることをユーザに提示し、また、加熱を停止する命令を取得した後、前記スチーム発生器１が加熱を停止する状態であることをユーザに提示し、さらに、保温命令を取得した後、前記スチーム発生器１が保温状態であることをユーザに提示する提示装置２０４を含む。
【０１３８】
本発明の実施例に係る衣類ケア機器は、衣類ケア機器の中に提示装置２０４を増やすことにより、衣類ケア機器の作動状態をユーザに提示するのを実現し、衣類ケア機器によるユーザの人身安全への脅威を低減させる。具体的に、提示装置２０４は提示ランプ又は提示音設備であってもよく、例えば、衣類ケア機器の中に提示ランプを設け、一組が加熱命令ランプであり、一組が保温命令ランプである。スチーム発生器１が加熱状態である場合に、加熱命令ランプがつき、保温命令ランプが消える。スチーム発生器１が加熱を停止する状態である場合に、加熱命令ランプが消え、保温命令ランプが消える。スチーム発生器１が保温状態である場合に、保温命令ランプがつく。また、例えば、衣類ケア機器の中に提示音設備を設け、提示音設備は、少なくとも三種類の提示音を再生することができ、それぞれが加熱提示音と、保温提示音と、加熱を停止する提示音とである。三種類の提示音のそれぞれは、相応する三種類の命令に応じて再生され、提示ランプ又は提示音を介して使用者に現在の衣類ケア機器の作動状態を直観的に把握させ、ユーザの使用体験を高める。
【０１３９】
本発明の一つの実施例によると、前記スチームハンドル２は、電気センサーと、圧力センサーと、温度センサーと、赤外線センサーとのうちいずれか一種又は複数種類の組合せを含む前記人体感知モジュールが設けられた固定構造２０３と、前記スチームハンドル２と前記スチーム発生器１との間に接続され、前記加熱制御モジュールが加熱する時に、前記スチーム発生器１で発生したスチームを前記スチームハンドル２に搬送するスチームパイプ４と、スチーム噴出孔が設けられ、前記スチームをアイロンがけする衣類に噴出させるアイロン板２０９と、をさらに含む。
【０１４０】
本発明の実施例に係る衣類ケア機器は、具体的に、人体感知モジュールは、電気センサーと、圧力センサーと、温度センサーと、赤外線センサーとのうちいずれか一種又は複数種類の組合せを介して使用者の使用状態を感知することができる。
【０１４１】
具体的に、人体感知モジュール２０６の異なるセンサーでテストを行う過程をそれぞれに説明する。スチームダク４トの一端がスチーム発生器１に接続され、他端がスチームハンドル２に接続され、スチームを搬送し、アイロン板２０９にスチーム噴出孔が設けられ、アイロン板２０９上の全てのスチーム噴出孔は、いずれもスチームパイプ４に接続されている。
（１）人体感知モジュールが電気センサーを介して使用者を感知する場合に、電気センサーの一端が制御ユニット２０２ピンに接続され、電気センサーが人体に接触した後、制御ユニット２０２が受信したのは、電位信号の変化である。
（２）人体感知モジュールが圧力センサーを介して使用者を感知する場合に、圧力センサーは、圧力状況に応じて抵抗を変更し、制御ユニット２０２が受信したのは、圧力センサーを通過した電流の大きさの変化である。
（３）人体感知モジュールが温度センサーを介して使用者を感知する場合に、制御ユニット２０２が受信したのは、温度信号の変化である。
（４）人体感知モジュールが赤外線センサーを介して使用者の使用状態を検出する場合に、赤外線センサーは、使用者の距離又は位置状況を判断することにより、制御ユニット２０２に前記無線通信モジュールを介して検出信号を送信する。
【０１４２】
本発明の一つの実施例によると、前記スチームハンドル２は、ユーザが前記スチームハンドル２を把持する箇所に設けられた滑り止め部２０７をさらに含む。
【０１４３】
本発明の実施例に係る衣類ケア機器は、滑り止め部２０７を設けることにより、ユーザがスチームハンドル２を把持する時に、摩擦力の不足によるスチームハンドル２の滑り落ち又は破損などの状況を避ける。具体的に、滑り止め部２０７は、スチームハンドル２に嵌めたゴム袋又はスチームハンド２ルに貼るラバーパッチであってもよいし、スチームハンドル２にある突起点又は凹凸条であってもよい。
【０１４４】
本発明の一つの実施例によると、前記スチームハンドル２に電池載置部を含む給電電池モジュールが設けられ、前記電池載置部の中に電池が置かれた後、前記スチームハンドル２に給電する。
【０１４５】
本発明の実施例に係る衣類ケア機器は、スチームハンドル２に給電電池モジュールを設けることにより、エンティティ回線だけを介してスチームハンドルと商用電源とを接続させる制限性を避け、スチームハンドル２の使用をより柔軟的及び便利的にさせ、ユーザの使用体験を高める。具体的に、給電電池モジュールを５Ｖ電池モジュールと、１２Ｖ電池モジュールと、充電池モジュールと、ボタン電池モジュールとのうちいずれか一種又は複数種類の組合せとして設けられてもよい。
【０１４６】
本発明の一つの実施例によると、前記スチームハンドル２に前記給電電池モジュールが設けられ、前記給電電池モジュールに商用電源アクセス端が設けられ、前記商用電源アクセス端が商用電源に接続された時に、前記商用電源により前記スチームハンドル２に給電する。
【０１４７】
本発明の実施例に係る衣類ケア機器は、給電電池モジュールに商用電源アクセス端を設けることにより、給電電池モジュールに電源がある場合に、スチームハンドル２に電源供給する一方、給電電池モジュール２に充電池を置く場合に、スチームハンドル２に電源供給する同時に、充電池を充電する。商用電源が給電を停止した後、給電電池モジュールにおける電池モジュールに切り替えてスチームハンドル２に電源供給する。
【０１４８】
本発明の一つの実施例によると、前記スチームハンドル２は、前記給電電池モジュールの電気量を提示する電気量提示装置をさらに含む。
【０１４９】
本発明の実施例に係る衣類ケア機器は、スチームハンドル２に電気量提示装置を設けることにより、現在の給電電池モジュールの電気量使用状況を適時にユーザに提示し、ユーザが残りの作業時間及び電池の電気量に基づいて商用電源にアクセスするか否かを選択するのは便利になり、スチームハンドル２の作動の連続性が確保される。
【０１５０】
本発明の一つの実施例によると、前記人体感知モジュール２０６は、前記スチームハンドル２の両側又は把持部又は頂部又は底部のうち少なくとも一つの箇所に設けられている。
【０１５１】
本発明の一つの実施例によると、前記人体感知モジュール２０６は、前記スチームハンドル２の両側に対称的に設けられている。
【０１５２】
本発明の実施例に係る衣類ケア機器２は、前記人体感知モジュール２０６をスチームハンドル２の両側に対称的に設けることにより、スチームハンドル２の両側の対称的である位置が人体の手部に最も接触しやすいため、手部がスチームハンドル２を把持する時に、人体感知モジュール２０６は、最短時間内で人体信号を感知することができ、また、人体信号の累積時間が一定の時間数以上である場合に、トリガー信号としてスチーム発生器が作動するように制御し、人体がスチームハンドル２を把持する時に、人体感知モジュール２０６をわざと触る必要がなく、ユーザの使用体験を高める。
【０１５３】
本発明の一つの実施例によると、前記人体感知モジュール２０６はスチームハンドル２の下端の把持部に設けられている。
【０１５４】
本発明の実施例に係る衣類ケア機器２は、人体感知モジュー２０６ルをスチームハンドル２の下端にあるスチームハンドル２の把持部に設けることにより、ユーザがスチームハンドル２を把持する時に、スチーム排出孔（通常にスチームハンドルの内側の頂部に設けられる）から最大程度で離れるようにすることができるので、ユーザのスチームハンドル２の端部の誤操作でスチームによるやけどする可能性を低減させ、ユーザの人身安全を守り、ユーザの使用体験を高める。
【０１５５】
本発明の一つの実施例によると、前記人体感知モジュール２０６に導電媒体モジュールが設けられている。
【０１５６】
本発明の一つの実施例によると、前記導電媒体モジュールは、銅シートと、プリント回路基板と、導電綿と、導電アルミ箔とのうちいずれか一種又は複数種類の組合せである。
【０１５７】
本発明の実施例に係る衣類ケア機器２は、電気センサーを銅シートと、プリント回路基板と、導電綿と、導電アルミ箔とのうちいずれか一種又は複数種類の組合せとして設けることにより、人体感知モジュール２０６の製作コスト及びテスト感度を効果的に低減させた。具体的に、スチームハンドル２の外側部に導電アルミ箔及び/又は銅シートを設けることにより、人体が良好な導体であるため、アースと同電位であると近似的に思われてもよいので、人体がスチームハンドル２上の導電アルミ箔及び/又は銅シートと接触する時に、人体感知モジュール２０６の電位が変更される。変更された電位の持続時間が所定タッチ時間以上であると検出した場合に、作動するようにスチーム発生器をトリガーする。また、導電アルミ箔の製造コストが低く、従来の製作方法と互換であるため、技術の普及及び量産に適用する。
【０１５８】
図１に示すように、前記一つのベースを含み、ベースにスチーム発生器１が設けられ、スチーム発生器１にランク調節スイッチ３及び注水口５が設けられ、スチーム発生器１は、スチームパイプ４を介してスチームハンドル２に接続される。前記ベースの両辺のそれぞれにブラケット７が設けられ、ブラケット７にエクステンションロッド７１が設けられ、ベースの両辺にある二つのエクステンションロッドにハンガー６及びブラケット７がそれぞれに取り付けられ、ハンガー６は、アイロンがけする衣服を置くためのものであり、ブラケット７はスチームハンドル２を置くためのものである。
【０１５９】
図２及び図３に示すように、スチームハンドル２のケーシングは、上蓋２０１と下蓋２０８とを含み、上蓋２０１に制御ユニット２０２と、指示装置２０４と、スチームハンドルスイッチ２０５とが固定され、スチームハンドル２の上蓋２０１と下蓋２０８との結合箇所に二つの固定構造２０３がさらに設けられ、固定構造２０３とスチームハンドル２のケーシングとの間に人体感知モジュール２０６が設けられ、スチームハンドル２のケーシングに滑り止め部２０７が嵌めて取り付けられている。
【０１６０】
以上に図面に合わせて本発明の技術案を詳細に説明した。関連技術でユーザの使用状況に応じてスチーム発生器を知能的に制御する過程を実現するために、如何に衣類ケア機器を設計するのかという技術案及び問題を解決することが提出されているのを考慮し、本発明は、ユーザの使用状況に応じてスチーム発生器の知能的な制御を実現できる衣類ケア機器を提供する。本発明の技術案を通じてユーザの使用状況に応じてスチーム発生器の知能的な制御過程を実現すると同時に、衣類ケア機器のエネルギー消費及び水分損失を低減させる。また、上記衣類ケア機器に提示装置が増やされ、衣類ケア機器の作動状態をユーザに提示することにより、衣類ケア機器によるユーザの人身安全への脅威を低減させる。
【０１６１】
以上に図面に合わせて本発明の技術案を詳細に説明した。関連技術で提出されたユーザの使用状況に応じてスチーム発生器の知能的な制御過程を実現するために、如何に衣類ケア機器及びその制御方法を設計するのかという技術問題を考慮し、本発明は、ユーザの使用状況に応じてスチーム発生器の知能的な制御を実現できる衣類ケア機器の制御方法、衣類ケア機器の制御システム及び衣類ケア機器を提供する。人体感知モジュールが感知したタッチ信号に基づいてスチーム発生器の作動状態を制御することにより、ユーザの使用状況に応じてスチーム発生器の知能的な制御を実現する過程を制御して実現すると同時に、衣類ケア機器のエネルギー消費及び水分損失を低減させ、ユーザの使用体験を高める。
【０１６２】
以上の記載は本発明の好ましい実施例に過ぎなく、本発明を限定するものではない。当業者にとって、本発明は各種の変更及び変化を有することができる。本発明の主旨及び原則の範囲内において、如何なる修正、同等な置き換え及び改善などはいずれも本発明の保護範囲内に含まれる。
【符号の説明】
【０１６３】
１：スチーム発生器
２：スチームハンドル
２０１：上蓋
２０２：制御ユニット
２０３：固定構造
２０４：提示装置
２０５：スチームハンドルスイッチ
２０６：人体感知モジュール
２０７：滑り止め部
２０８：下蓋
２０９：アイロン板
３：ランク調節スイッチ
４：スチームパイプ
５：注水口
６：ハンガー
７：ブラケット
７１：エクステンションロッド
【図１】
2020110610.tif 000003
【図２】
2020110610.tif 000004
【図３】
2020110610.tif 000005
【図４】
2020110610.tif 000006
【図５】
2020110610.tif 000007
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
衣類ケア機器の制御方法であって、前記衣類ケア機器にスチーム発生器及びスチームハンドルが設けられ、前記スチームハンドルに人体感知モジュールが設けられ、前記人体感知モジュールはユーザがスチームハンドルを把持した際の力面積及び／又は圧力値の大きさを計測することにより人体の圧力信号を感知する圧力センサーを含み、
前記制御方法は、ユーザが前記スチームハンドルを使用しているか否かを感知するように前記人体感知モジュールを制御するステップと、を含み、
前記人体感知モジュールが感知したタッチ信号に基づいて前記スチーム発生器の作動状態を制御するステップは、具体的に、前記圧力センサーは、人体の圧力信号を感知した後、前記圧力信号の持続時間が第１の所定タッチ時間以上であるか否かを判断し、そのうち、前記圧力信号は、圧力範囲信号と、圧力値信号と、圧力方向信号とのうちいずれか一つ又は複数の組合せを含むステップと、前記圧力信号の持続時間が前記第１の所定タッチ時間以上であると判定した場合、加熱命令を送信して前記スチーム発生器が加熱するように制御するステップと、を含む、
ことを特徴とする衣類ケア機器の制御方法。
【請求項２】
ユーザが前記スチームハンドルを使用しているのを検出しなかった遊休時間が第２の所定タッチ時間以上であるか否かを判断するステップと、前記遊休時間が前記第２の所定タッチ時間以上であると判定した場合、加熱停止命令を送信して加熱を停止するように前記スチーム発生器を制御するステップと、
タッチ時間が前記第１の所定タッチ時間以上であり、且つ前記遊休時間が前記第２の所定タッチ時間以上であると判定した場合、保温命令を送信して前記スチーム発生器が待機保温状態に入るように制御するステップと、をさらに含む、
ことを特徴とする請求項１に記載の衣類ケア機器の制御方法。
【請求項３】
衣類ケア機器の制御システムであって、
前記衣類ケア機器にスチーム発生器及びスチームハンドルが設けられ、そのうち、前記スチームハンドルに人体感知モジュールが設けられ、前記人体感知モジュールはユーザがスチームハンドルを把持した際の力面積及び／又は圧力値の大きさを計測することにより人体の圧力信号を感知する圧力センサーを含み、
前記制御システムは、ユーザが前記スチームハンドルを使用しているか否かを感知するように前記人体感知モジュールを制御する制御ユニットを含み、
前記制御ユニットは、さらに、
前記人体感知モジュールが感知したタッチ信号に基づいて前記スチーム発生器の作動状態を制御し、前記圧力センサーは、人体の圧力信号を感知した後、前記圧力信号の持続時間が第１の所定タッチ時間以上であるか否かを判断し、そのうち、前記圧力信号は、圧力範囲信号と、圧力値信号と、圧力方向信号とのうちいずれか一つ又は複数の組合せを含む判断ユニットと、
前記圧力信号の持続時間が前記第１の所定タッチ時間以上であると判定した場合、加熱命令を送信して前記スチーム発生器が加熱するように制御する送信ユニットと、を含む、  ことを特徴とする衣類ケア機器の制御システム。
【請求項４】
前記判断ユニットは、さらに、
ユーザが前記スチームハンドルを使用しているのを検出しなかった遊休時間が第２の所定タッチ時間以上であるか否かを判断し、
前記送信ユニットは、さらに、
前記遊休時間が前記第２の所定タッチ時間以上であると判定した場合、加熱停止命令を送信して加熱を停止するように前記スチーム発生器を制御し、前記送信ユニットは、さらに、タッチ時間が前記第１の所定タッチ時間以上であり、且つ前記遊休時間が前記第２の所定タッチ時間以上であると判定した場合、保温命令を送信して前記スチーム発生器が保温するように制御する、
ことを特徴とする請求項３に記載の衣類ケア機器の制御システム。
【請求項５】
前記スチームハンドルに設けられた給電電池モジュールをさらに含み、
前記給電電池モジュールは、前記スチーム発生器と、前記スチームハンドルと、前記制御ユニットとに接続され、電池を載置して前記スチーム発生器と、前記スチームハンドルと、前記制御ユニットとに給電する電池載置部と、前記電池載置部に接続され、前記電池を充電する商用電源アクセス部と、電池載置部に接続され、前記電池の電気量を検出する電気量検出モジュールと、回路検出モジュールに接続され、前記電気量検出モジュールの検出結果に基づいて前記電気量を提示する電気量提示モジュールと、を含む、
ことを特徴とする請求項３に記載の衣類ケア機器の制御システム。
【請求項６】
前記制御ユニットと前記スチーム発生器とに接続され、前記制御ユニットの加熱命令を取得して前記スチーム発生器が加熱するように制御し、また、前記制御ユニットの加熱停止命令を取得して加熱を停止するように前記スチーム発生器を制御する加熱駆動モジュールをさらに含む、
ことを特徴とする請求項３に記載の衣類ケア機器の制御システム。
【請求項７】
前記制御ユニットは、さらに、前記加熱駆動モジュールに保温命令を送信して前記スチーム発生器が保温するように制御する、
ことを特徴とする請求項６に記載の衣類ケア機器の制御システム。
【請求項８】
請求項３〜７のいずれかに記載の衣類ケア機器の制御システムを含む、
ことを特徴とする衣類ケア機器。
【外国語明細書】
2020110610000001.pdf